(57)【要約】【課題】  獣類捕獲罠に捕獲した猪獣類を危険なく捕殺でき、運搬できるキャリ檻を提供する。【解決手段】  キャリ檻Ｘ２は、猪獣類Ｚを収容するキャリ檻本体２０１、キャリ檻本体２０１の獣類搬入口２０２を開閉するキャリ開閉扉２０３、及び間隔調整手段２０５で構成する。キャリ檻本体２０１は、一対の胴体側パネル体２２１、２２２を備えており、各胴体側パネル体２２１、２２２間に猪獣類Ｚの胴体側Ｚ１を収容する胴体空間ＤＨを区画する。各胴体側パネル体２２１，２２２は、間隔調整手段２０５によって、相互間の間隔γが調整され、猪獣類Ｚの胴体側Ｚ１を挟持する挟持位置ＰＫにされる。【選択図】  図４４
2014161250.tif 000002
【特許請求の範囲】
【請求項１】
獣類捕獲罠に捕獲した猪獣類を捕殺、運搬するためのキャリ檻において、
前記猪獣類の胴体側を収容する胴体空間、及び前記猪獣類の頭部側を収容する頭部空間を有するキャリ檻本体と、
前記胴体空間に開口し、前記獣類捕獲罠の獣類搬出口に連絡される獣類搬入口と、
前記獣類搬入口を開閉するキャリ開閉扉と、
間隔調整手段と、を備え、
前記キャリ檻本体は、
間隔を隔てて対峙され、相互間に前記胴体空間を区画する一対の胴体側パネル体を含んで構成され、前記各胴体側パネル体の一端側で前記胴体空間に連続する前記頭部空間を区画してなり、
前記間隔調整手段は、
前記胴体側パネル体に連結され、前記胴体側パネル体を移動して前記間隔を調整し、
前記各胴体側パネル体は、
前記間隔調整手段による前記間隔の調整に伴って、前記猪獣類の胴体側を挟持する
ことを特徴とするキャリ檻。
【発明の詳細な説明】
【技術分野】
【０００１】
本発明は、獣類捕獲罠に捕獲した猪獣類を捕殺、運搬するために使用されるキャリ檻に関する。
【背景技術】
【０００２】
獣類捕獲罠に捕獲した獣類を運搬する技術として、特許文献１は捕獲籠、及びキャリ籠を開示する。キャリ籠は、獣類を収容するキャリ籠本体、キャリ籠本体に開口し、捕獲籠の後部開口に連絡される開口部、及びキャリ籠の開口部を開閉するキャリ前扉を備える。
特許文献１では、捕獲籠及びキャリ籠を連結する。捕獲籠、及びキャリ前扉において、後扉及びキャリ前扉で後部開口及び開口部を開いて、捕獲籠内及びキャリ籠内を連通し、捕獲籠に捕獲した獣類をキャリ籠内に移送する。キャリ籠において、キャリ前扉で開口部を閉じ、捕獲籠の連結を解除する。獣類は、キャリ籠内に収容され、キャリ籠で運搬される。
【０００３】
特許文献１では、キャリ籠に収容した獣類は、キャリ籠内で暴れるため、運搬に危険を伴うという問題がある。
また、キャリ籠内で暴れる獣類を危険なく、捕獲現場で刺殺等（捕殺）できないという問題もある。
【先行技術文献】
【特許文献】
【０００４】
【特許文献１】実用新案登録第３１７０５５６号公報
【発明の概要】
【発明が解決しようとする課題】
【０００５】
本発明は、上記問題に鑑み、獣類捕獲罠に捕獲した猪獣類を危険なく捕殺でき、運搬できるキャリ檻を提供することにある。
【課題を解決するための手段】
【０００６】
本発明に係る請求項１は、獣類捕獲罠に捕獲した猪獣類を捕殺、運搬するためのキャリ檻において、前記猪獣類の胴体側を収容する胴体空間、及び前記猪獣類の頭部側を収容する頭部空間を有するキャリ檻本体と、前記胴体空間に開口し、前記獣類捕獲罠の獣類搬出口に連絡される獣類搬入口と、前記獣類搬入口を開閉するキャリ開閉扉と、間隔調整手段と、を備え、前記キャリ檻本体は、間隔を隔てて対峙され、相互間に前記胴体空間を区画する一対の胴体側パネル体を含んで構成され、前記各胴体側パネルの一端側で前記胴体空間に連続する前記頭空間を区画してなり、前記間隔調整手段は、前記胴体側パネル体に連結され、前記胴体側パネル体を移動して前記間隔を調整し、前記各胴体側パネル体は、前記間隔調整手段による前記間隔の調整に伴って、前記猪獣類の胴体側を挟持することを特徴とするキャリ檻に関する。
【発明の効果】
【０００７】
本発明に係る請求項１では、キャリ檻本体を獣類捕獲罠に並設し、獣類搬入口を獣類捕獲罠の獣類搬出口に対峙する。キャリ開閉扉で獣類搬入口を開き、獣類搬入口及び獣類搬出口を通して、キャリ檻本体の胴体空間（頭部空間）を獣類捕獲罠内に連通する。獣類捕獲罠に捕獲した猪獣類は、頭部側からキャリ檻本体内に搬入（移送）する。キャリ開閉扉で獣類搬入口を閉じ、キャリ檻本体内に猪獣類を収容（捕獲）する。猪獣類は、頭部側を頭部空間に位置し、胴体側を胴体空間に位置して、キャリア檻本体内に収容される。
本発明に係る請求項１では、猪獣類をキャリ檻本体内に収容（捕獲）した後、間隔調整手段で胴体側パネル体を移動することで、各胴体側パネル体間の間隔を調整する。
これにより、各胴体側パネル体間の間隔は、収容（捕獲）した猪獣類の胴体側の幅寸法にでき、各胴体側パネル体で猪獣類の胴体側を挟持できる。各胴体側パネル体で挟持した猪獣類は、身動きできず、キャリ檻本体内で暴れないので、危険なく、猪獣類を捕殺でき、猪獣類を運搬できる。
本発明に係る請求項１では、間隔調整手段で各胴体側パネル体の間隔を調整（縮小／拡大）できるので、体挌（重量、大きさ）等の相違する猪獣類を、その体挌に応じて各胴体側パネル体で挟持できる。
これにより、体挌の相違する猪獣類をキャリ檻本体内に収容（捕獲）しても、猪獣類を身動きできなくでき、危険なく、猪獣類を捕殺、運搬できる。体挌の相違する猪獣類に応じて、各種（サイズ）のキャリ檻を用意する必要もない。
猪獣類は、猪科に分類される動物であって、例えば日本猪、琉球猪、猪豚等である。猪獣類は、野性に生息する有害獣類で捕獲対象となる。猪獣類の頭部側とは、頭部、鼻及び口を含み、鼻が頭部先端に突出ている。猪獣類の胴体側は、頭部側以外の胴体、前後足である。
【図面の簡単な説明】
【０００８】
【図１】第１実施形態のキャリ檻を示す正面図である。
【図２】第１実施形態のキャリ檻であって、（ａ）は側面図、（ｂ）は間隔調整手段のパネル用ガイド装置の拡大図である。
【図３】第１実施形態のキャリ檻を示す背面図（後面図）である。
【図４】第１実施形態のキャリ檻であって、（ａ）は天井面図、（ｂ）は図４（ａ）の要部拡大図である。
【図５】第１実施形態のキャリ檻であって、（ａ）は底面図、（ｂ）は図５（ａ）の要部拡大図である。
【図６】第１実施形態のキャリ檻であって、キャリ開閉扉及びキャリ扉用ガイド装置の正面図及び上面図である。
【図７】第１実施形態のキャリ檻であって、（ａ）は左側・胴体側パネル体及び左側・頭部側パネル体を回転自在に連結する拡大図、（ｂ）は右側・胴体側パネル体及び右側・頭部側パネル体を回転自在に連結する拡大正面図、（ｃ）は各パネル体及び天井側・直線中央リンク材を回転自在に連結する拡大正面図、（ｄ）は各パネル体及び底側・直線中央リンク材を回転自在に連結する拡大正面図である。
【図８】第１実施形態のキャリ檻であって、（ａ）はリンク材を胴体側パネル体及び天井側・直線中央リンク材に回転自在に連結する拡大側面図、（ｂ）はリンク材を胴体側パネル体及び底側・直線中央リンク材に回転自在に連結する拡大側面図である。
【図９】第１実施形態のキャリ檻であって、（ａ）はリンク連結体の拡大側面図、（ｂ）はリンク連結体の拡大背面図である。
【図１０】第１実施形態のキャリ檻であって、（ａ）はリンク操作体の拡大側面図、（ｂ）はリンク操作体の拡大背面図である。
【図１１】獣類捕獲罠の正面図である。
【図１２】獣類捕獲罠の側面図である。
【図１３】獣類捕獲罠の背面（後面）図である。
【図１４】獣類捕獲罠の天井面図（底面図）である。
【図１５】獣類捕獲罠であって、捕獲開閉扉、捕獲扉用ガイド装置及び搬出扉用ガイド装置の正面図、上面図及びガイド支持材の上面図である。
【図１６】獣類捕獲罠であって、搬出開閉扉の正面図、側面図及び上面図である。
【図１７】獣類捕獲罠であって、搬出開閉扉を捕獲開閉扉に配置する正面図及び一部拡大上面図である。
【図１８】獣類捕獲罠であって、捕獲開閉扉を開位置にする正面図である。
【図１９】第１実施形態のキャリ檻及び獣類捕獲罠を並設する図であって、（ａ）は正面図、（ｂ）は側面図である。
【図２０】第１実施形態のキャリ檻及び獣類捕獲罠を並設する図であって、獣類捕獲罠の搬出開閉扉を搬出開位置にする正面図である。
【図２１】第１実施形態のキャリ檻及び獣類捕獲罠を並設する図であって、キャリ開閉扉を搬入開位置にする正面図である。
【図２２】第１実施形態のキャリ檻及び獣類捕獲罠を並設する図であって、（ａ）は猪獣類をキャリ檻に搬入（移送）する側面図、（ｂ）は猪獣類をキャリ檻に搬入（移送）する天井面図である。
【図２３】第１実施形態のキャリ檻であって、（ａ）は猪獣類をキャリ檻本体に収容（捕獲）した天井面図、（ｂ）は猪獣類をキャリ檻本体に収容（捕獲）した側面図である。
【図２４】第１実施形態のキャリ檻であって（ａ）は間隔調整手段のリンク操作装置をキャリ檻本体に配置する側面図、（ｂ）はリンク操作装置をキャリ檻本体に配置する背面（後面）図である。
【図２５】第１実施形態のキャリ檻であって、間隔調整手段及び各同他側パネル体で猪獣類を挟持する天井面図である。
【図２６】猪獣類を収容（捕獲）した第１実施形態のキャリ檻を立設した側面図である。
【図２７】猪獣類を収容（捕獲）した第１実施形態のキャリ檻を立設した天井面図である。
【図２８】猪獣類を収容（捕獲）した第１実施形態のキャリ檻を搬送する側面図である。
【図２９】第２実施形態のキャリ檻を示す正面図である。
【図３０】第２実施形態のキャリ檻を示す側面図である。
【図３１】第２実施形態のキャリ檻を示す背面図（後面図）である。
【図３２】第２実施形態のキャリ檻を示す天井面図である。
【図３３】第２実施形態のキャリ檻を示す底面図である。
【図３４】第２実施形態のキャリ檻であって、キャリ開閉扉及びキャリ扉用ガイド装置の正面図、側面図及び上面図である。
【図３５】第２実施形態のキャリ檻であって、（ａ）は左側・胴体側パネル体、各直線左リンク材及び各リンク材を回転自在に連結する断面拡大正面図、（ｂ）は右側・胴体側パネル体、各直線右リンク材及び各リンク材を回転自在に連結する断面拡大正面図である。
【図３６】第２実施形態のキャリ檻であって、左側・胴体側パネル体、各直線左リンク材及び各リンク材を回転自在に連結する拡大側面図である。
【図３７】第２実施形態のキャリ檻であって、各直線中央リンク材、各直線左右リンク材及び各リンク材を回転自在に連結する断面拡大正面図である。
【図３８】第２実施形態のキャリ檻及び獣類捕獲罠を並設する図であって、（ａ）は正面図、（ｂ）は側面図である。
【図３９】第２実施形態のキャリ檻及び獣類捕獲罠を並設する図であって、獣類捕獲罠の搬出開閉扉を搬出開位置にする正面図である
【図４０】第２実施形態のキャリ檻及び獣類捕獲罠を並設する図であって、キャリ開閉を搬入開位置にする正面図である。
【図４１】第２実施形態のキャリ檻及び獣類捕獲罠を並設する図であって、獣類をキャリ檻に搬入（移送）する側面図である。
【図４２】第２実施形態のキャリ檻であって、（ａ）は猪獣類を第２実施形態のキャリ檻本体に収容（捕獲）した天井面図、（ｂ）は猪獣類を第２実施形態のキャリ檻本体に収容（捕獲）した側面図である。
【図４３】猪獣類を収容（捕獲）した第２実施形態のキャリ檻を立設した側面図である。
【図４４】猪獣類を収容（捕獲）した第２実施形態のキャリ檻を立設した天井面図である。
【図４５】猪獣類を収容（捕獲）した第２実施形態のキャリ檻を搬送する側面図である。
【発明を実施するための形態】
【０００９】
本発明に係る第１及び第２実施形態のキャリ檻について、図１乃至図４５を参照して説明する。
【００１０】
図１乃至図４５において、第１及び第２実施形態のキャリ檻Ｘ１，Ｘ２は、獣類捕獲罠Ｙに捕獲した猪獣類Ｚを捕殺、運搬するために使用される。
なお、説明の便宜上、先ず、獣類捕獲罠Ｙについて説明し、続いて、第１及び第２実施形態のキャリ檻Ｘ１，Ｘ２について説明する。
【００１１】
＜獣類捕獲罠Ｙ＞
獣類捕獲罠Ｙについて、図１１乃至図１７を参照して説明する。
【００１２】
図１１乃至図１７において、獣類捕獲罠Ｙは、野性に生息する有害獣類、例えば猪獣類Ｚを捕獲する罠である。
【００１３】
猪獣類Ｚは、野性に生息する有害獣類であって、猪科の分類される動物である。猪獣類Ｚとしては、例えば日本猪、琉球猪、猪豚等である。猪獣類Ｚは、胴体側Ｚ１及び頭部側Ｚ２で構成される（図２３参照）。頭部側Ｚ２は頭部、鼻及び口を含み、鼻が頭部先端に突出ている。猪獣類Ｚの胴体側Ｚ１は、頭部側Ｚ２以外の胴体、前後足を含む。
【００１４】
獣類捕獲罠Ｙは、捕獲檻本体１０１、獣類侵入口１０２、捕獲開閉扉１０３、捕獲扉用ガイド装置１０４、獣類搬出口１０５、搬出開閉扉１０６、搬出扉用ガイド装置１０７及びトリガ装置（仕掛け装置：図示しない）を含んで構成される。
【００１５】
捕獲檻本体１０１は、図１１乃至図１４に示すように、左右側・格子パネル体１１１，１１２、底側・格子パネル体１１３、天井側・格子パネル体１１４及び後側・格子パネル体１１５で直方箱形に形成される。捕獲檻本体１０１は、猪獣類Ｚを収容（捕獲）する捕獲空間Ｈを有する。捕獲空間Ｈは、各格子パネル体１１１〜１１４及び後側・格子パネル体１１５で区画される。
【００１６】
獣類侵入口１０２は、図１１乃至図１４に示すように、捕獲檻本体１０１の前面に形成され、捕獲空間Ｈに開口している。獣類侵入口１０２は、猪獣類Ｚを捕獲空間Ｈに導く。また、獣類侵入口１０２は、各格子パネル体１１１〜１１４で区画され、捕獲空間Ｈを捕獲檻本体１０１の外側に連通する。
【００１７】
捕獲開閉扉１０３は、図１１乃至図１４に示すように、捕獲檻本体１０１の前面に配置され、獣類侵入口１０２を開閉する。
捕獲開閉扉１０３は、捕獲檻本体１０１の上下方向ＵＤにおいて、獣類侵入口１０２を開く開位置Ｓ（図１８参照）、又は獣類侵入口１０２を閉じる閉位置Ｔ（図１１参照）にされる。また、捕獲開閉扉１０３は、落下式扉を採用し、開位置Ｓから閉位置Ｔに向けて落下される。
捕獲開閉扉１０３は、図１５に示すように、捕獲扉組立枠１２１及び捕獲扉格子１２２で構成される。
【００１８】
捕獲扉組立枠１２１は、複数の枠材１２１Ａ，１２１Ａ，…（例えば、Ｌ字平鋼）を矩形に組立てて形成される。捕獲扉格子１２２は、複数の線材（例えば、丸鋼線材）を格子配列（又は網目配列）して形成される。捕獲扉格子１２２は、捕獲扉組立枠１２１内に配置され、各線材を各枠材１２１Ａ，１２１Ａ，…に固定してなる。
捕獲開閉扉１０３は、トリガ装置（仕掛け装置：図示しない）で開位置Ｓに保持される（図１８参照）。上記トリガ装置は、猪獣類Ｚの捕獲空間Ｈへの侵入に基づき、作動され、捕獲開閉扉１０３の保持を解除して、捕獲開閉扉１０３を開位置Ｓから閉位置Ｔに向けて落下させる。
【００１９】
捕獲扉用ガイド装置１０４は、図１１乃至図１５に示すように、捕獲開閉扉１０３の開閉を案内（ガイド）する。
捕獲扉用ガイド装置１０４は、複数（一対）のガイド支持材１２５，１２５、及び複数（一対）のガイド材１２６，１２６で構成される。
【００２０】
各ガイド支持材１２５，１２５は、ガイド溝１２５Ａを有し、捕獲檻本体１０１の左右方向ＲＬに間隔を隔てて配置される。
各ガイド支持材１２５，１２５は、捕獲檻本体１０１の前後方向ＦＲにおいて、左右側・格子パネル体１１１，１１２の前端に固定される。各ガイド支持材１２５，１２５、及びガイド溝１２５Ａ，１２５Ａは、捕獲檻本体１０１の上下方向ＵＤに延設され、開位置Ｓ及び閉位置Ｔ間に配置される。
【００２１】
各ガイド材１２６，１２６は、捕獲開閉扉１０３に連結される。各ガイド材１２６，１２６は、図１５に示すように、捕獲扉格子１２２を間に位置し、捕獲開閉扉１０３の左右方向ＲＬに配置される。各ガイド材１２６，１２６は、捕獲扉組立枠１２１の左右側・枠材１２１ＡＬ，１２１ＡＲに固定される。
捕獲扉用ガイド装置１０４において、各ガイド材１２６，１２６は、各ガイド支持材１２５，１２５のガイド溝１２５Ａ内に摺動自在に挿入され、捕獲開閉扉１０３を捕獲檻本体１０１の前面（獣類侵入口２の前面）に配置する（図１１乃至図１４参照）。
これにより、捕獲開閉扉１０３は、捕獲檻本体１０１の上下方向ＵＤにおいて、各ガイド支持材１２５，１２５及び各ガイド材１２６，１２６で案内され、開位置Ｓ又は閉位置Ｔにされる。また、捕獲開閉扉１０３は、図１１に示すように、閉位置Ｔで各ガイド支持材１２５，１２５下端に当接し、各ガイド支持材１２５，１２５で開位置Ｔに保持される。
【００２２】
獣類搬出口１０５は、図１１乃至図１５に示すように、捕獲開閉扉１０３に形成され、獣類捕獲罠Ｙ（捕獲檻本体１０１）に捕獲した猪獣類Ｚを、第１及び第２実施形態のキャリ檻Ｘ１，Ｘ２に搬出（移送）する。
獣類搬出口１０５は、図１５に示すように、捕獲扉格子１２２に開口し、捕獲扉組立枠１２１の上下側・枠材１２１ＡＵ，１２１ＡＤ間に形成される。
【００２３】
搬出開閉扉１０６は、図１１乃至図１４に示すように、捕獲開閉扉１０３の前面に配置され、獣類搬出口１０５を開閉する。搬出開閉扉１０６は、捕獲檻本体１０１の上下方向ＵＤにおいて、獣類搬出口１０５を開く搬出開位置ＨＳ（図２０参照）、又は獣類搬出口１０５を閉じる搬出閉位置ＨＴ（図１１参照）にされる。
【００２４】
搬出開閉扉１０６は、図１６に示すように、搬出扉組立枠１３５及び搬出扉格子１３６で構成される。搬出扉組立枠１３５は、複数の枠材１３５Ａ，１３５Ａ，…（例えば、Ｌ字平鋼）を矩形に組立てて形成される。搬出扉格子１３６は、複数の線材（例えば、丸鋼線材）を格子配列（又は網目配列）して形成される。搬出扉格子１３６は、搬出扉組立枠１３５内に配置され、各線材を各枠材１３５Ａ，１３５Ａ，…に固定してなる。
【００２５】
搬出扉用ガイド装置１０７は、図１１乃至図１４に示すように、捕獲開閉扉１０３の前面に配置され、搬出開閉扉１０６の開閉を案内（ガイド）する。
搬出用ガイド装置１０７は、図１５乃至図１７に示すように、複数（一対）のガイド支持材１３８，１３８、及び複数（一対）のガイド材１３９，１３９で構成される。
【００２６】
各ガイド支持材１３８，１３８は、ガイド溝１３８Ａを有し、獣類搬出口１０５を間に位置し、捕獲檻本体１０１の左右方向ＲＬに配置される。各ガイド支持材１３８，１３８は、捕獲扉格子１２２及び捕獲扉組立枠１２１の上下側・枠材１２１ＡＵ，１２１ＡＤに固定される。各ガイド支持材１３８，１３８、及び各ガイド溝１３８Ａ，１３８Ａは、捕獲檻本体１０１の上下方向ＵＤに延設され、搬出開位置ＨＳ及び搬出閉位置ＨＴ間に配置される。
【００２７】
各ガイド材１３９，１３９は、搬出開閉扉１０６に連結される。各ガイド材１３９，１３９は、図１６及び図１７に示すように、搬出扉格子１３６を間に位置し、捕獲檻本体１０１の左右方向ＲＬに配置される。各ガイド材１３９，１３９は、搬出扉組立枠１３５の左右側・枠材１３５ＡＬ，１３５ＡＲに固定される。
搬出扉用ガイド装置１０７において、各ガイド材１３６，１３６は、図１６及び図１７に示すように、各ガイド支持材１３８，１３８のガイド溝１３８Ａ内に摺動自在に挿入され、搬出開閉扉１０６を捕獲開閉扉１０３の前面（獣類搬出口１０５の前面）に配置する。
これにより、搬出開閉扉１０６は、捕獲檻本体１０１の上下方向ＵＤにおいて、各ガイド支持材１３８，１３８及び各ガイド材１３９，１３９で案内され、搬出開位置ＨＳ又は搬出閉位置ＨＴにされる。また、搬出開閉扉１０６は、図１１に示すように、搬出閉位置ＨＴで各ガイド支持材１３８，１３８下端に当接し、各ガイド支持材１３８，１３８で搬出閉位置ＨＴに保持される。
【００２８】
＜第１実施形態（キャリ檻Ｘ１）＞
次に、第１実施形態のキャリ檻Ｘ１（以下、「キャリ檻Ｘ１」と称する。）について、図１乃至図１０を参照して説明する。
【００２９】
図１乃至図５において、キャリ檻Ｘ１は、獣類捕獲罠Ｙに捕獲した猪獣類Ｚを捕殺、運搬するために使用される（図２０乃至図２９参照）。
キャリ檻Ｘ１は、キャリ檻本体１、獣類搬入口２、キャリ開閉扉３、キャリ扉用ガイド装置４、間隔調整手段５（間隔調整装置）、及びキャリ組立枠体６を備えている。
【００３０】
キャリ檻本体１は、図１乃至図５に示すように、猪獣類Ｚの胴体側Ｚ１を収容（捕獲）する胴体空間ＤＨ、及び猪獣類Ｚの頭部側Ｚ２を収容（捕獲）する頭部空間ＴＨを有する。各空間ＤＨ，ＴＨは、キャリ檻本体１の前後方向ＦＲに連続して形成され、全体として猪獣類Ｚを収容する獣類収容空間ＳＨを構成する。
キャリ檻本体１は、一対（左右側）の胴体側パネル体１１，１２、及び一対（左右側）の頭部側パネル体１３，１４を含んで構成される。
【００３１】
左右側・胴体側パネル体１１，１２は、パネル組立枠１５及びパネル格子１６で構成される。パネル組立枠１５は、複数の枠材１５Ａ，１５Ａ，…（例えば、Ｌ字平鋼）を矩形に組立てて形成される。パネル格子１６は、複数の線材（例えば、丸鋼線材）を格子配列（又は網目配列）して形成される。パネル格子１６は、パネル組立枠１５内に配置され、各線材を各枠材１５Ａ，１５Ａ，…に固定してなる。
左右側・胴体側パネル体１１，１２は、キャリ檻本体１の左右方向ＲＬに間隔δを隔てて対峙され、相互に並設される。各胴体側パネル体１１，１２は、相互間に胴体空間ＤＨを区画する。左右側・胴体側パネル体１１，１２は、相互のパネル格子１６，１６を対峙して、キャリ檻本体１の上下方向ＵＤに立設される。
【００３２】
左右側・頭部側パネル体１３，１４は、パネル組立枠１７及びパネル格子１８で構成される。パネル組立枠１７は、複数の枠材１７Ａ，１７Ａ，…（例えば、Ｌ字平鋼）を矩形に組立てて形成される。パネル格子１８は、複数の線材（例えば、丸鋼線材）を格子配列（又は網目配列）して形成される。パネル格子１８は、パネル組立枠１７内に配置され、各線材を各枠材１７Ａ，１７Ａ，…に固定してなる。
【００３３】
左右側・頭部側パネル体１３，１４は、キャリ檻本体１の前後方向ＦＲにおいて、各胴体側パネル体１１，１２の一端側に連続して配置される。各頭部側パネル体１３，１４は、各胴体側パネル体１１，１２の一端側において、キャリ檻本体１の左右方向ＲＬに間隔δを隔てて対峙され、相互間に頭部空間ＴＨを区画する。各頭部側パネル体１７，１８は、相互の各パネル格子１８，１８を対峙して、キャリ檻本体１の上下方向ＵＤに立設される。
【００３４】
左右側・頭部側パネル体１３，１４は、キャリ檻本体１０１の上下方向ＵＤにおいて、各胴体側パネル体１１，１２の一端側に連結される。各頭部側パネル体１３，１４の上下側・枠材１７ＡＵ，１７ＡＤの一端側、及び各胴体側パネル体１１，１２の上下側・枠材１５ＡＵ，１５ＡＤの一端側は、回転自在に連結される。
各頭部側パネル体１３，１４の上側・枠材１７ＡＵは、図７に示すように、各胴体側パネル体１１，１２の上側・枠材１５ＡＵ上端に配置され、回転支持ピン１９，１９で各パネル組立枠１５（各胴体側パネル体１１，１２）に回転自在に連結される。
各回転支持ピン１９，１９は、図７（ａ），（ｂ）に示すように、キャリ檻本体１の上下方向ＵＤにおいて、左側・胴体側パネル体１１（上側・枠材１５ＡＵ）及び左側・頭部側パネル体１３（上側・枠材１７ＡＵ）を挿通し、又は右側・胴体側パネル体１２（上側・枠材１５ＡＵ）及び右側・頭部側パネル体１４（下側・枠材１７ＡＵ）を挿通する。
【００３５】
各頭部側パネル体１３，１４の下側・枠材１７ＡＤは、図７に示すように、各胴体側パネル体１１，１２の下側・枠材１５ＡＤ下端に配置され、回転支持ピン２０，２０で回転自在に連結される。
各回転支持ピン２０，２０は、図７（ａ），（ｂ）に示すように、キャリ檻本体１の上下方向ＵＤにおいて、左側・胴体側パネル体１１（下側・枠材１５ＡＤ）及び左側・頭部側パネル体１３（下側・枠材１７ＡＤ）を挿通し、又は右側・胴体側パネル体１２（下側・枠材１５ＡＤ）及び右側・頭部側パネル体１４（下側・枠材１７ＡＤ）を挿通する。
これにより、各頭部側パネル体１３，１４は、各回転支持ピン１９，２０を支点（回転中心）として、キャリ檻本体１の左右方向ＲＬ及び前後方向ＦＲに旋回（回転）する。
【００３６】
左右側・頭部側パネル体１３，１４は、キャリ檻本体１の前後方向ＦＲにおいて、各胴体側パネル体１１，１２から離れる方向に延設される（図４及び図５参照）。また、左右側・頭部側パネル体１３，１４は、各胴体側パネル体１１，１２から離れる方向に向けて、間隔δの先細りするようにテーパ配置する［各頭部側パネル体１３，１４は、各回転支持ピン１９，１９（回転支点）から獣類搬入口２側に向けて延設され、段々に相互の間隔を広げるように角度β（角度β＝９０°以下）で傾斜配置される］。
これにより、頭部空間ＴＨは、図４及び図５に示すように、各胴体側パネル体１１，１２から離れる方向に向けて、鋭角となる三角柱空間に形成される。
また、左側・胴体側パネル体１１及び左側・頭部側パネル体１３は、キャリ檻本体１の左側面を構成し、右側・胴体側パネル体１２及び右側・頭部側パネル体１４は、キャリ檻本体１の右側面を構成する。
【００３７】
獣類搬入口２は、図１乃至図５に示すように、キャリ檻本体１の前後方向ＦＲにおいて、キャリ檻本体１後端に形成され、胴体空間ＤＨに開口する。獣類搬入口２は、獣類捕獲罠Ｙの獣類搬出口１０５に連絡され、獣類捕獲罠Ｙに捕獲した猪獣類Ｚをキャリ檻本体１（獣類収納空間ＳＨ）内に搬入（移送）する。獣類搬入口２は、胴体空間ＤＨ（獣類収容空間ＳＨ）をキャリ檻本体１の外側に連通する。
【００３８】
キャリ開閉扉３は、図１乃至図５に示すように、キャリ檻本体１後端に配置され、獣類搬入口２を開閉する。
キャリ開閉扉３は、獣類搬入口２を開く搬入開位置ＩＳ（図２１参照）、又は獣類搬入口２を閉じる搬入閉位置ＩＴ（図１参照）にされる。
キャリア開閉扉３は、落下式扉を採用し、搬入開位置ＩＳから搬入閉位置ＩＴに落下される。
【００３９】
キャリ開閉扉３は、図６に示すように、複数（一対）の平支持材２５，２５、及びキャリ扉格子２６で構成される。キャリ扉格子２６は、複数の線材（例えば、丸鋼線材）を格子配列（又は網目配列）して形成される。キャリ扉格子２６は、各平支持材２５，２５間に配置され、線材を各平支持材２５，２５に固定してなる（図６参照）。
【００４０】
キャリ扉用ガイド装置４は、図１乃至図５に示すように、キャリ檻本体１の前後方向ＦＲにおいて、キャリ檻本体１後端に配置され、キャリ開閉扉３の開閉を案内（ガイド）する。
キャリ扉用ガイド装置４は、複数（一対）のガイド支持材２７，２７及び複数（一対）のガイド材２８，２８で構成される。
【００４１】
各ガイド支持材２７，２７は、図４及び図６に示すように、ガイド溝２７Ａを有し、キャリ檻本体１の左右方向ＲＬに間隔δ１（間隔δ１＞間隔δ）を隔てて、各胴体側パネル体１１，１２外側に配置される。各ガイド支持材２７，２７、及び各ガイド溝２７Ａ，２７Ａは、キャリ檻本体１の上下方向ＵＤに延設され、搬入開位置ＩＳ及び搬入閉位置ＩＴ間に配置される。
【００４２】
各ガイド材２８，２８は、キャリ開閉扉３に連結される。各ガイド材２８は、各平支持材２５，２５に一体形成される。
キャリ扉用ガイド装置４において、各ガイド材２８，２８は、各ガイド支持材２７，２７のガイド溝２７Ａ内に摺動自在に挿入され、キャリ開閉扉３をキャリ檻本体１の後面（っ獣類搬入口２の後面）に配置する。
これにより、キャリ開閉扉３は、キャリ檻本体１の上下方向ＵＤにおいて、各ガイド支持材２７，２７及び各ガイド材２８，２８で案内され、搬入開位置ＩＳ又は搬入閉位置ＩＴにされる。また、キャリ開閉扉３は、搬入閉位置ＩＴで各ガイド支持材２７，２７下端に当接し、各ガイド支持材２７，２７で搬入閉位置ＩＴに保持される。
【００４３】
間隔調整手段５は、図１乃至図５に示すように、キャリ檻本体１の左右方向ＦＲに各パネル体１１〜１４を移動して、各胴体側パネル体１１，１２間の間隔δ及び各頭部側パネル体１３，１４間の間隔δを調整（縮小／拡大）する（図２５参照）。
間隔調整手段５は、各胴体側パネル体１１，１２に連結される。間隔調整手段５は、図１乃至図５及び図７乃至図１０に示すように、一対（天井側／底側）のリンク装置３１，３２、パネル用ガイド装置３３、及びリンク操作装置３４を含んで構成される。
【００４４】
天井側・リンク装置３１は、キャリ檻本体１の上下方向ＵＤにおいて、各パネル体１１〜１４の上端側に配置され、キャリ檻本体１の天井面を構成する。
天井側・リンク装置３１は、図４に示すように、天井側・直線中央リンク材３５、複数の左側・リンク材３６，３６，…、及び複数の右側・リンク材３７，３７，…を有している。
【００４５】
天井側・直線中央リンク材３５は、キャリ檻本体１の左右方向ＲＬにおいて、各胴体側パネル体１１，１２間の中央、及び各頭部側パネル体１３，１４間の中央に配置される。天井側・直線中央リンク材３５、及び各胴体側パネル体１１，１２の相互間の間隔は、猪獣類Ｚが獣類収容空間ＳＨから抜出さない値に設定する。
天井側・直線中央リンク材３５は、各胴体側パネル体１１，１２の上側・枠材１５ＡＵ（パネル組立枠１５）に並設される。
【００４６】
天井側・直線中央リンク材３５は、キャリ檻本体１の前後方向ＦＲにおいて、獣類搬入口２側及び各頭部側パネル体１３，１４間に延設される。また、天井側・直線中央リンク材３５は、リンク連結穴３５Ａを有している。リンク連結穴３５Ａは、図４に示すように、獣類搬入口２側に配置され、キャリ檻本体１の上下方向ＵＤで天井側・直線中央リンク材３５を挿通している。
【００４７】
天井側・直線中央リンク材３５は、各頭部側パネル体１３，１４の他端側に連結される。各頭部側パネル体１３，１４において、パネル組立枠１７の上側・枠材１７ＡＵは、図１、図４及び図７（ｃ）に示すように、天井側・直線中央リンク材３５上端に配置され、複数の回転支持ピン３８，３８で天井側・直線中央リンク材３５に回転自在に連結される。
各回転支持ピン３８，３８は、図７（ｃ）に示すように、キャリ檻本体１の上下方向ＵＤにおいて、左側・頭部側パネル体１３（上側・枠材１７ＡＵ）及び天井側・直線中央リンク材３５を挿通し、又は右側・頭部側パネル体１４（上側・枠材１７ＡＵ）及び天井側・直線中央リンク材３５を挿通する。
【００４８】
複数の左側・リンク材３６，３６，…は、キャリ檻本体１の前後方向ＦＲにおいて、間隔を隔てて配置される。各リンク材３６，２６の間隔は、猪獣類が獣類収容空間ＳＨから抜出さない値に設定する。
各リンク材３６，３６，…は、獣類搬入口２側に角度αで傾斜して、左側・胴体側パネル体１１の上側・枠材１５ＡＵ及び天井側・直線中央リンク材３５間に配置される。
各リンク材３６，３６，…は、図４及び図８（ａ）に示すように、上側・枠材１５ＡＵ（左側・胴体側パネル体１１）上端、及び天井側・直線中央リンク材３５上端に配置され、複数の回転支持ピン３９，３９，…でパネル組立枠１５（左側・胴体パネル体１１）及び天井側・直線中央リンク材３５に回転自在に連結される。
各回転支持ピン３９，３９，…は、図８（ａ）に示すように、キャリ檻本体１の上下方向ＵＤにおいて、左側・胴体側パネル体１１（上側・枠材１５ＡＵ）及び各リンク材３６，３６，…を挿通し、又は天井側・直線中央リンク材３５及び各リンク材３６，３６，…を挿通する。
【００４９】
複数の右側・リンク材３７，３７，…は、キャリ檻本体１の前後方向ＦＲにおいて、間隔を隔てて配置される。各リンク材３７，３７，…の間隔は、猪獣類が獣類収容空間ＳＨから抜出さない値に設定する。
各リンク材３７，３７，…は、獣類搬入口２側に角度αで傾斜して、右側・胴体側パネル体１２の上側・枠材１５ＡＵ及び天井側・直線中央リンク材３５間に配置される。
各リンク材３７，３７，…は、図４及び図８（ａ）に示すように、上側・枠材１５ＡＵ（右側・胴体側パネル体１２）上端、及び直線中央リンク材３５上端に配置され、複数の回転支持ピン４０，４０，…でパネル組立枠１５（右側・胴体側パネル１２）及び天井側・直線中央リンク材３５に回転自在に連結される。
各回転支持ピン４０，４０，…は、図８（ａ）に示すように、キャリ檻本体１の上下方向ＵＤにおいて、右側・胴体側パネル体１２（上側・枠材１５ＡＵ）及び各リンク材３７，３７，…を挿通し、又は天井側・直線中央リンク材３５及び各リンク材３７，３７，…を挿通する。
【００５０】
これにより、天井側・リンク装置３１は、天井側・直線中央リンク材３５、左右側・リンク材３６，３６，…，３７，３７，…によって、キャリ檻本体１の左右方向ＲＬにおいて、各胴体側パネル体１１，１２に交差するキャリ檻本体１の天井側・パネル体（天井面）を兼用している。
各リンク材３６，３７は、各回転支持ピン３９，４０を支点（回転中心）として、キャリ檻本体１の天井面上で回転／移動する。また、天井側・直線中央リンク材３５も、キャリ檻本体１の天井面上でキャリ檻本体１の前後方向ＦＲに移動する。
【００５１】
底側・リンク装置３２は、キャリ檻本体１の上下方向ＵＤにおいて、各パネル体１１〜１４の下端側に配置され、キャリ檻本体１の底面を構成する。
底側・リンク装置３２は、図５に示すように、天井側・リンク装置３１と同様に、底側・直線中央リンク材４５、複数の左側・リンク材４６，４６，…、及複数の右側・リンク材４７，４７，…を有している。
【００５２】
底側・直線中央リンク材４５は、キャリ檻本体１の左右方向ＲＬにおいて、各胴体側パネル体１１，１２間の中央、及び各頭部側パネル体１３，１４間の中央に配置される。底側・直線中央リンク材４５、及び各胴体側パネル体１１，１２の相互間の隙間は、猪獣類Ｚが獣類収容空間ＳＨから抜出さない値に設定する。
底側・直線中央リンク材４５は、各胴体側パネル１１，１２の下側・枠材１５ＡＤ（パネル組立枠１５）に並設される。
【００５３】
底側・直線中央リンク材４５は、キャリ檻本体１の前後方向ＦＲにおいて、獣類搬入口２側及び各頭部側パネル体１３，１４間に延設される。直線中央リンク材４５は、キャリ檻本体１の上下方向ＵＤにおいて、天井側・直線中央リンク材３５に対峙して配置される。また、底側・直線中央リンク材４５は、リンク連結小穴４５Ａを有している。リンク連結小穴４５Ａは、図５に示すように、獣類搬入口２側に配置され、キャリ檻本体１の上下方向ＵＤで底側・直線中央リンク材４５を挿通している。また、リンク連結小穴４５Ａは、リンク連結穴３５Ａに対峙される。
【００５４】
底側・直線中央リンク材４５は、各頭部側パネル体１３，１４の他端側に連結される。各頭部側パネル体１３，１４において、パネル組立枠１７の下側・枠材１７ＡＤは、図５及び図７（ｄ）に示すように、底側・直線中央リンク材３５下端に配置され、複数の回転支持ピン４８，４８で底側・直線中央リンク材４５に回転自在に連結される。
各回転支持ピン４８，４８は、図７（ｄ）に示すように、キャリ檻本体１の上下方向ＵＤにおいて、左側・頭部側パネル体１３（下側・枠材１７ＡＵ）及び底側・直線中央リンク材４５を挿通し、又は右側・頭部側パネル体１４（下側・枠材１７ＡＵ）及び底側・直線中央リンク材４５を挿通する。
【００５５】
複数の左側・リンク材４６，４６，…は、キャリ檻本体１の前後方向ＦＲにおいて、間隔を隔てて配置される。各リンク材４６，４６，…の間隔は、猪獣類Ｚが獣類収容空間ＳＨから抜出さない値に設定する。
各リンク材４６，４６，…は、獣類搬入口２側に角度αで傾斜して、右側・胴体側パネル体１２の下側・枠材１５ＡＤ、及び底側・直線中央リンク材４５間に配置される。
各リンク材４６，４６，…は、図５及び図８（ｂ）に示すように、下側・枠材１５ＡＤ（左側・胴体側パネル１１）下端、及び底側・直線中央リンク材４５下端に配置され、複数の回転支持ピン４９，４９，…でパネル組立枠１５（左側・胴体側パネル体１１）及び底側・直線中央リンク材４５に回転自在に連結される。
各回転支持ピン４９，４９，…は、図８（ｂ）に示すように、キャリ檻本体１の上下方向ＵＤにおいて、左側・胴体側パネル体１１（上側・枠材１５ＡＤ）及び各リンク材４６，４６，…を挿通し、又は底側・直線中央リンク材４５及び各リンク材４６，４６，…を挿通する。
【００５６】
複数の右側・リンク材４７，４７，…は、キャリ檻本体１の前後方向ＦＲにおいて、間隔を隔てて配置される。各リンク材４７，４７，…の間隔は、猪獣類Ｚが獣類収容空間ＳＨから抜出さない値に設定する。
各リンク材４７，４７，…は、獣類搬入口２側に角度αで傾斜して、右側・胴体側パネル体１２の下側・枠材１５ＡＤ、及び底側・直線中央リンク材４５間に配置される。
各リンク材４７，４７，…は、図５及び図８（ｂ）に示すように、下側・枠材１５ＡＤ（右側・胴体側パネル１２）下端、及び底側・直線中央リンク材４５下端に配置され、複数の回転支持ピン５０，５０，…でパネル組立枠１５及び底側・直線中央リンク材４５に回転自在に連結される。
各回転支持ピン５０，５０，…は、図８（ｂ）に示すように、キャリ檻本体１の上下方向ＵＤにおいて、右側・胴体側パネル体１２（下側・枠材１５ＡＤ）及び各リンク材４７，４７，…を挿通し、又は底側・直線中央リンク材４５及び各リンク材４７，４７，…を挿通する。
【００５７】
これにより、底側・リンク装置３２は、底側・直線中央リンク材４５、左右側・リンク材４６，４６，…，４７，４７，…によって、キャリ檻本体１の左右方向ＲＬにおいて、各胴体側パネル体１１，１２に交差するキャリ檻本体１の底側・パネル体（底面）を兼用している。
各リンク材４６，４７は、各回転支持ピン４９，５０を支点（回転中心）として、キャリ檻本体１の底面上で回転／移動する。また、底側・直線中央リンク材４５も、キャリ檻本体１の底面上でキャリ檻本体１の前後方向ＦＲに移動する。
【００５８】
各リンク装置３１，３２において、各頭部側パネル体１３，１４は、図１に示すように、キャリ檻本体１の左右方向ＲＬに間隔Ｒを隔てて、各直線中央リンク材３５，４５に連結される。この間隔Ｒは、猪獣類Ｚの頭部側Ｚ２の一部（鼻、口）をキャリ檻本体１外側に突出できる間隔とする。
間隔調整手段５において、各リンク装置３１，３２は、キャリ檻本体１の前後方向ＦＲに、各直線中央リンク材３５，４５を移動することで、各胴体側パネル体１１，１２間の間隔δを調整（縮小／拡大）する。
各胴体側パネル体１１，１２は、各リンク装置３１，３２によって、猪獣類Ｚをキャリ檻本体１に搬入する初期位置ＰＳ（図１乃至図５参照）、又はキャリ檻本体１に搬入した猪獣類Ｚを挟持する挟持位置ＰＫ（図２５参照）に配置される。
また、各リンク装置３１，３２において、各直線中央リンク材３５，４５、左側・リンク材３６，４６、及び右側・リンク材３７，４７は、キャリ檻本体１の上下方向ＵＤに対称（上下対称）に配置することができる。
【００５９】
パネル用ガイド装置３３は、図１乃至図５に示すように、各胴体側パネル体１１，１２を案内（ガイド）し、又は吊下げ保持する。
パネル用ガイド装置３３は、キャリ檻本体１の前後方向ＦＲにおいて、搬入開閉扉３及び各胴体側パネル体１１，１２間に配置される。
パネル用ガイド装置３３は、複数（上側／下側）のガイド支柱材５５，５６、複数（左側／右側）のガイド体５７，５８で構成される。
【００６０】
上下側・ガイド支柱材５５，５６は、キャリ檻本体１の上下方向ＵＤに間隔Ｕを隔てて配置される。各ガイド支柱材５５，５６は、キャリ檻本体１の左右方向ＲＬに延設され、各胴体側パネル体１１，１２外側に突出している。
上側・ガイド支柱材５５は、獣類搬入口２上端に配置され、下側・ガイド支持材５６は獣類搬入口２下端に配置される。
また、キャリ扉用ガイド装置４において、各ガイド支持材２７，２７は、図４及び図５に示すように、間隔δ１を隔てて、各胴体側パネル体１１，１２外側で各ガイド支柱材５５，５６に固定される。
【００６１】
左側・ガイド体５７は、左側・胴体側パネル体１１に連結される。左側・ガイド体５７は、上下側・ガイド支持材５９，６０、及びガイド連結材６１を有する。上側・ガイド支持材５９は、左側・胴体側パネル体１１の上側・枠材１５ＡＵに一体形成され、上側・ガイド支柱材５５側に突出している。下側・ガイド支持材６０は、胴体側パネル１１の下側・枠材１５ＡＤに一体形成され、下側・ガイド支柱材５６側に突出している。各ガイド支持材５９，６０は、ガイド溝５９Ａ，６０Ａを有し、上下側・ガイド支柱材５５，５６は各ガイド支持材５９，６０のガイド溝５９Ａ，６０Ａ内に摺動自在に挿入される。ガイド溝５９Ａ，６０Ａは、キャリ檻本体１の左右方向ＲＬにおいて、各ガイド支持材５９，６０を挿通している。ガイド連結材６１は、キャリ檻本体１の上下方向ＵＤに延設され、各ガイド支持材５９，６０に連結される。
【００６２】
右側・ガイド体５８は、右側・胴体側パネル１２に連結される。右側・ガイド体５８は、左側・ガイド体５７と同様に、上下側・ガイド支持材６２，６３、及びガイド連結材６４を有する。上側・ガイド支持材６２は、右側・胴体側パネル体１２の上側・枠材１５ＡＵに一体形成され、上側・ガイド支柱材５５側に突出している。下側・ガイド支持材６３は、胴体側パネル体１２の下側・枠体１５ＡＤに一体形成され、下側・ガイド支柱材５６側に突出している。各ガイド支持材６２，６３は、ガイド溝６２Ａ，６３Ａを有し、上下側・ガイド支柱材５５，５６は各ガイド支持材６２，６３のガイド溝６２Ａ，６３Ａ内に摺動自在に挿入される。ガイド溝６２Ａ，６３Ａは、キャリ檻本体１の左右方向ＲＬにおいて、各ガイド支持材６２，６３を挿通している。ガイド連結材６４は、キャリ檻本体１の上下方向ＵＤに延設され、各ガイド支持材６２，６３に連結される。
【００６３】
リンク操作装置３４は、各リンク装置３１，３２を作動して、各パネル体１１〜１４を回転／移動させる。
リンク操作装置３４は、図１乃至図５、図９及び図１０に示すように、リンク連結体７１、及びリンク操作体７２を含んで構成される。
【００６４】
リンク連結体７１は、図９に示すように、リンク連結材７３及びリンク連結挿入材７４を有している。リンク連結材７３は、天井側・直線中央リンク材３５のリンク連結穴３５Ａ内に挿入され、各直線中央リンク材３５，４５間に配置される。リンク連結挿入材７４は、リンク連結材７２の一端に形成され、底側・直線中央リンク材４５のリンク連結小穴４５Ａ内に挿入される。
【００６５】
リンク連結体７１は、リンク連結穴３５Ａ内でリンク連結材７３を天井側・直線中央リンク材３５に支持し、リンク連結小穴４５Ａ内でリンク連結挿入材７４を底側・直線リンク４５に支持する。
これにより、リンク連結体７１は、各直線中央リンク材３５，４５を連結し、各直線中央リンク材３５，４５を同時にキャリ檻本体１の前後方向ＵＤへ移動させる。
【００６６】
リンク操作体７２は、図３乃至図５、図９及び図１０に示すように、操作ネジ材７６、操作ネジ支持材７７、及び複数（左右側）の支持環材７８，７８を有している。
【００６７】
操作ネジ材７６は、ネジ軸７６Ａ及び操作ハンドル７６Ｂで構成され、操作ハンドル７６Ｂはネジ軸７６Ａの一端側に固定される。
【００６８】
ネジ支持材７７は、支持部７７Ａ、複数（左右側）の鍔部７７Ｂ，７７Ｃ、及びネジ穴７９で構成される。左右側・鍔部７７Ｂ，７７Ｃは、支持部７７Ａの両端に一体形成され、キャリ檻本体１の前後方向ＦＲに突出している。ネジ穴７９は、キャリ檻本体１の左右方向ＲＬにおいて、各鍔部７７Ｂ，７７Ｃ間の中央に配置される。ネジ穴７９は、キャリ檻本体１の前後方向ＦＲで支持部７７Ａを挿通している。
操作ネジ材７６は、ネジ軸７６を支持部７７Ａのネジ穴７９に螺着して、操作ネジ支持材７７に配置される。
【００６９】
左右側の支持環材７８，７８は、図１乃至図５に示すように、キャリ檻本体１の左右方向ＲＬにおいて、各ガイド支持材２７，２７外側に位置して、各ガイド支持材２７，２７に固定される。各支持環材７８，７８は、支持穴７８Ａを有し、支持穴７８Ａはキャリ檻本体１の前後方向ＦＲで支持環材７８，７８を挿通している。
各支持環材７８，７８は、操作ネジ支持材７７の各鍔部７７Ｂ，７７Ｃを支持穴７８Ａ内に挿入し、操作ネジ材７６及び操作ネジ支持材７７を取外自在として各ガイド支持材２７，２７に支持（固定）する。
【００７０】
キャリ組立枠体６は、図１乃至図５に示すように、キャリ檻本体１、キャリ開閉扉３、キャリ扉用ガイド装置４及び間隔調整手段５でなる構成体（以下、「キャリ檻構成体Ａ」と称する。）を支持する。キャリ檻構成体Ａは、図１乃至図５に示すように、キャリ檻本体１、キャリ開閉扉２、キャリ扉用ガイド装置４及び間隔調整手段５で構成される。
キャリ組立枠体６は、複数（左側）の枠材８５，８５、複数（右側）の枠材８６，８６、及び矩形枠材８７で構成される。
【００７１】
左側・枠材８５，８５は、キャリ檻本体１の左右方向ＲＬにおいて、左側・胴体側パネル体１１外側、及び左側・頭部側パネル体１３外側に配置される。左側・枠材８５，８５は、上下側・ガイド支柱材５５，５６に連結され、キャリ檻本体１の前後方向ＵＤに延設される。
【００７２】
右側・枠材８６，８６は、キャリ檻本体１の左右方向ＲＬにおいて、右側・胴体側パネル体１２外側、及び右側・頭部側パネル体１４外側に配置される。右側・枠材８６，８６は、上下側・ガイド支柱材５５，５６に連結され、キャリ檻本体１の前後方向ＵＤに延設される。
これにより、キャリ組立枠体６は、各枠材８５，８６等によって、キャリ檻構成体Ａを支持する。
【００７３】
矩形枠材８７は、キャリ檻本体１の前後方向ＦＲにおいて、キャリ檻本体１の各頭部側パネル体１３，１４に間隔を隔てて配置され、左側・枠材８５，８５及び右側・枠材８６，８６に連結される。
【００７４】
＜猪獣類の捕獲、捕殺及び運搬＞
次に、獣類捕獲罠Ｙによる猪獣類Ｚの捕獲、キャリ檻Ｘ１による捕殺、及び運搬について、図１乃至図２８を参照して説明する。
なお、キャリ檻Ｘ１において、各胴体側パネル体１１，１２は、図１乃至図５に示すように、初期位置ＰＳに配置されている。初期位置ＰＳにおいて、各胴体側パネル体１１，１２は、図１乃至図５に示すように、各ガイド支持材２７，２７に当接して、相互間の間隔δの拡大が規制される。
また、キャリ檻Ｘ１では、獣類収容空間ＳＨ内において、底側・リンク装置３２上に柔軟性シート（図示しない）を敷詰める。
【００７５】
図１１乃至図１４において、作業者は、獣類捕獲罠Ｙを猪獣類Ｚの獣道等に設置し、捕獲開閉扉１０３を閉位置Ｔ（図１１参照）から開位置Ｓ（図１８参照）にする。
捕獲開閉扉１０３は、各ガイド支持材１２５，１２５及び各ガイド材１２６，１２６で案内され、開位置Ｓまで移動される。また、搬出開閉扉１０６は、各ガイド支持材１３８，１３８で保持されるので、捕獲開閉扉１０３と共に閉位置Ｓに移動される。
これにより、獣類侵入口２は、開かれ、捕獲空間Ｈを捕獲檻本体１０１外側に連通する。
更に、捕獲開閉扉１０３は、トリガ装置（仕掛け装置：図示しない）で開位置Ｓに保持される。作業者は、獣類捕獲罠Ｙの捕獲空間Ｈ内に餌を撒く。
【００７６】
猪獣類Ｚは、餌を物色するため、獣類侵入口２から捕獲空間Ｈ内に侵入し、トリガ装置（仕掛け装置：図示しない）を作動する。
トリガ装置は、捕獲開閉扉１０３の保持を解除し、捕獲開閉扉１０３を開位置Ｓから閉位置Ｔに向けて落下させる。捕獲開閉扉１０３は、各ガイド支持材１２５，１２５及び各ガイド材１２６，１２６で案内され、閉位置Ｔまで落下される。また、搬出開閉扉１０６も捕獲開閉扉１０３と共に、閉位置Ｔまで落下される。
これにより、獣類侵入口２は、捕獲開閉扉１０３で閉じられ、猪獣類Ｚを捕獲檻補体１０１の捕獲空間Ｈに収容（捕獲）する（図１１参照）。
【００７７】
猪獣類Ｚを獣類捕獲罠Ｙに捕獲すると、作業者は、図１９に示すように、キャリ檻Ｘ１を獣類捕獲罠Ｙに並設する。キャリ檻Ｘ１は、天井側・リンク装置３１を上方に向けて、底側・リンク装置３２を地面に設置する。
また、キャリ檻Ｘ１は、キャリ開閉扉３（獣類搬入口２）を獣類捕獲罠Ｙの搬出開閉扉１０６（獣類搬出口１０５）に対峙・接触させる。
【００７８】
続いて、作業者は、図２０に示すように、獣類捕獲罠Ｙの搬出開閉扉１０６を搬出閉位置ＨＴ（図１１参照）から搬出開位置ＨＳにして、獣類搬出口１０５を開く。搬出開閉扉１０６は、各ガイド支持材１３８，１３８及び各ガイド材１３９，１３９で案内され、搬出開位置ＨＳに移動される。
【００７９】
また、作業者は、図２１に示すように、キャリ檻本体１のキャリ開閉扉３を搬入閉位置ＩＴ（図３参照）から搬入開位置ＩＳにして、獣類搬入口２を開く。キャリ開閉扉３は、各ガイド支持材２７，２７及び各ガイド材２８，２８で案内され、搬入開位置ＩＳに移動される。なお、搬入開位置ＴＳは、例えば、キャリ開閉扉３の各ガイド材２８，２８を各ガイド支持材２７，２７内（ガイド溝２７Ａ内）から抜出した位置にできる。
これにより、獣類捕獲罠Ｙの捕獲空間Ｈ、及びキャリ檻本体１の獣類収容空間ＳＨ（胴体空間ＤＨ、頭部空間ＴＨ）は、獣類搬出口１０５及び獣類搬入口２を通して連通される。
【００８０】
作業者は、図２２及び図２３に示すように、獣類捕獲罠Ｙに捕獲した猪獣類Ｚをキャリ檻本体１側に追い遣り、獣類搬出口１０５及び獣類搬入口２を通して、猪獣類Ｚをキャリ檻本体１（獣類収容空間ＳＨ）内に収容する。
猪獣類Ｚは、頭部側Ｚ２からキャリ檻本体１内に移送され、猪獣類Ｚを獣類収容空間ＳＨに収容する（図２３参照）。
【００８１】
作業者は、図２３に示すように、各ガイド材２８，８を各ガイド支持材２７，２７のガイド溝２７Ａ内に挿入し、キャリ開閉扉３で獣類搬入口２を閉じる。
これにより、猪獣類Ｚは、獣類収容空間ＳＨ内に搬入、捕獲される。
【００８２】
続いて、作業者は、キャリ檻本体１を獣類捕獲罠Ｙから離間する。
【００８３】
作業者は、図１０及び図２４に示すように、操作ネジ材７６及び操作ネジ支持材７７をキャリ檻本体１に配置する。
操作ネジ支持材７７は、左右側・鍔部７７Ｂ，７７Ｃを支持環材７８，７８の支持穴７８Ａ内に挿入し、各ガイド支持材２７，２７に固定する。また、支持部７７Ａはキャリ開閉扉３の後面（背面）に配置される。これにより、操作ネジ材７６は、操作ネジ支持材７７の支持部７７Ａに支持され、キャリ開閉扉３の後面（背面）に配置される。
【００８４】
また、作業者は、リンク連絡体７１で各直線中央リンク材３５，４５を連結する。リンク連結体７１は、図９及び図２４に示すように、リンク連結挿入材７４側から天井側・直線中央リンク材３５のリンク連結穴３５Ａ内に挿入し、更にリンク連結挿入材７４を底側・直線中央リンク材４５のリンク連結小穴４５Ａ内に挿入する。これにより、リンク連結体７１は、各直線中央リンク材３５，４５間にリンク連結材７３を配置し、各直線リング材３５，４５で支持される。
【００８５】
続いて、作業者は、図２４に示すように、操作ネジ材７６の操作ハンドル７６Ｂを把持し、ネジ軸７６Ａを回転する。操作ネジ材７６のネジ軸７６Ａは、キャリ開閉扉３において、キャリ扉格子２６の線材間を通して、キャリ檻本体１の胴体空間ＤＨ内に突出される。
更に、操作バンドル７６Ｂを操作し、ネジ軸７６Ａを回転すると、ネジ軸７６Ａは、図９及び図２４（ａ）に示すように、リンク連結材７３に当接し、リンク連結体７１をキャリ檻本体１の前後方向ＦＲに押付ける。
これにより、リンク連結体７１、及び各直線中央リンク材３５，４５は、キャリ檻本体１の前後方向ＦＲで、獣類搬入口２から離れる方向に移動される。
【００８６】
各リンク装置３１，３２において、各リンク材３６，３６，…、３７，３７，…、４６，４６，…、４７，４７，…は、図２５に示すように、各直線中央リンク材３５，４５の移動に伴って、各回転支持ピン３９，４０，４９，５０を支点として、角度αを小さくしつつ回転／移動される。各胴体側パネル体１１，１２は、各ガイド支柱材５５，５６及び左右側・ガイド体５７，５８で案内され、キャリ檻本体１の左右方向ＲＬに移動される。
これにより、各胴体側パネル体１１，１２は、相互の間隔δを縮小しつつ（狭めつつ）、相互に接近される。
各胴体側パネル体１１，１２は、キャリ檻本体１の左右方向ＲＬから猪獣類Ａの胴体側Ｚ１を挟持する（挟込む）。各胴体側パネル体１１，１２の間δは、猪獣類Ｚの胴体側Ｚ１の幅寸法δ２（以下、「間隔δ２」と称する）となる。
【００８７】
一方、各頭部側パネル体１３，１４は、図２５に示すように、各胴体側パネル体１１の移動に基づき、各回転支持ピン３８，４８を支点として、角度βを小さくしつつ回転／移動される。
各頭部側パネル体１３，１４は、猪獣類Ｚの頭部側Ｚ２に接近、又は当接（挟持）される。
これにより、キャリ檻Ｘ１において、各胴体側パネル体１１，１２、及び各頭部側パネル体１３，１４は、初期位置ＰＳ（図１乃至図５参照）から挟持位置ＰＫ（図２５参照）に配置される。
挟持位置ＰＫにおいて、猪獣類Ｚは、胴体側Ｚ１を各胴体側パネル体１１，１２で挟持されるので、キャリ檻本体１内で身動きできなくなり、暴れない。
【００８８】
作業者は、リンク保持材（図示しない）を左右側・胴体側パネル１１，１２間に配置し、リンク保持材で各胴体側パネル１１，１２の挟持（間隔δ２）を保持する。
また、作業者は、キャリ檻本体１からリンク連結体７１、操作ネジ材７６及び操作ネジ支持材７７を取外す。
【００８９】
続いて、作業者は、図２６及び図２７に示すように、キャリ檻本体１の獣類搬入口２側（キャリ開閉扉３側）を上方側に持ち上げ、キャリ檻本体１及びキャリ組立枠体６を立設する。
キャリ檻本体１において、キャリ開閉扉３側は、キャリ檻本体１の上下方向ＵＤの上方側に位置し、各頭部側パネル体１３，１４側は、キャリ檻本体１の上下方向ＵＤの下方側に位置する。また、キャリ組立枠体６は、矩形枠材８７を地面に設置し、キャリ檻本体１を支持する。キャリ檻本体１（キャリ檻構成体Ａ）は、左右側・ガイド体５７，５８及び上下側・ガイド支持材５５，５６でキャリ組立枠体６に吊下げ支持される。
【００９０】
キャリ檻本体１（キャリ檻構成体Ａ）を吊下げ支持すると、猪獣類Ｚは、図２６及び図２７に示すように、自重（猪獣類Ｚの重量）で各頭部側パネル体１３，１４側（地面側）に落下し、頭部側Ｚ２の一部（鼻、口）を各頭部側パネル体１３，１４の間隔Ｒからキャリ檻本体１（頭部空間ＴＨ）外側に突出される。
このとき、猪獣類Ｚの頭部側Ｚ２は、頭部空間ＴＨ内において、間隔δの狭くなる空間に落下（挿入）され、各頭部側パネル体１３，１４に当接し挟持される。
また、各直線中央リンク材３５，４５は、猪獣類Ｚの重量（落下）に伴って、移動されるので、各胴体側パネル体１１，１２は、図２５で説明したと同様に、間隔δ１を縮小しつつ（狭めつつ）、猪獣類Ｚの胴体側Ｚ１を挟持する。各頭部側パネル体１３，１４も、各胴体側パネル体１１，１２の移動に伴って、猪獣類Ｚの頭部側Ｚ２に当接される。
猪獣類Ｚは、各パネル体１１〜１４による挟持によって、身動きできなくなり、キャリ檻本体１内で暴れない。
【００９１】
続いて、作業者は、図２６乃至図２８に示すように、猪獣類Ｚを捕殺（刺殺）し、猪獣類Ｚの血抜きをする。猪獣類Ｚは、キャリ檻本体１（各パネル体１１〜１４）で身動きできないので、作業者は、安全に猪獣類を捕殺（刺殺）できる。
【００９２】
作業者は、図２８に示すように、車輪付き運搬台車８９にキャリ檻Ｘ１のキャリ組立枠体６（矩形枠材８７）を積載し、猪獣類Ｚを運搬する。
作業者は、各直線中央リンク材３５，４５を獣類搬入口２側に移動し、各リンク材３６，３６，…、３７，３７，…、４６，４６，…、４７，４７，…を回転／移動する。
これにより、各胴体側パネル体１１，１２は、各ガイド支柱材５５，５６及びガイド体５７，５８で案内され、相互間の間隔δを拡大しつつ、檻本体１の左右方向ＦＲに移動される。各胴体側パネル体１１，１２は、各ガイド支柱材５５，５６の各ガイド支持材２７，２７に当接し、相互の間隔δに復元され、挟持位置ＰＫから初期位置ＰＳに配置される。
【００９３】
作業者は、各胴体側パネル体１１，１２を初期位置ＰＳにすると、捕殺した猪獣類Ｚをキャリ檻本体１外側へ搬出する。作業者は、キャリ開閉扉３を搬入開位置ＩＳにし、捕殺した猪獣類Ｚを獣類搬入口２から搬出する。
【００９４】
キャリ檻Ｘ１において、間隔調整手段５は、各パネル体１１〜１４を移動して、各胴体側パネル体の間隔δ、及び各頭部側パネル体１３，１４の間隔δを調整する。各胴体パネル体１１，１２、及び各頭部側パネル体１３，１４は、間隔調整手段５による間隔δの調整（縮小）に伴って、初期位置ＰＳから挟持位置ＰＫに配置される。これにより、各胴体側パネル体１１，１２は、挟持位置ＰＫにおいて、猪獣類Ｚの胴体側Ｚ１及び頭部側Ｚ２を挟持する。
このように、キャリ檻Ｘ１では、各胴体側パネル体１１，１２の間隔δ等を調整することで、体挌（重量、大きさ等）の相違する各種の猪獣類Ｚを、その体挌に応じて各胴体側パネル体１１，１２、各頭部側パネル体１３，１４で挟持できる。
従って、各種の猪獣類Ｚに応じて、各種のキャリ檻を用意する必要がなく、スムーズに猪獣類Ｚを捕殺、運搬できる。
【００９５】
＜第２実施形態（キャリ檻Ｘ２）＞
次に、第２実施形態のキャリ檻Ｘ２（以下、「キャリ檻Ｘ２」と称する。）について、図２９乃至図４５を参照して説明する。
【００９６】
図２９乃至図３３において、キャリ檻Ｘ２は、獣類捕獲罠Ｙに捕獲した猪獣類Ｚを捕殺、運搬するために使用される（図３８乃至図４５参照）。
キャリ檻Ｘ２は、キャリ檻本体２０１、獣類搬入口２０２、キャリ開閉扉２０３、キャリ扉ガイド装置２０４、間隔調整手段２０５（間隔調整装置）、及びキャリ組立枠体２０６を備えている。
【００９７】
キャリ檻本体２０１は、図２９乃至図３３に示すように、猪獣類Ｚの胴体側Ｚ１を収容（捕獲）する胴体空間ＤＨ、及び猪獣類Ｚの頭部側Ｚ２を収容（捕獲）する頭部空間ＴＨを有する。各空間ＤＨ，ＴＨは、キャリ檻本体２０１の前後方向ＦＲに連続して形成され、全体として猪獣類Ｚを収容する獣類収容空間ＳＨを構成する。
キャリ檻本体２０１は、一対（左右側）の胴体側パネル体２２１，２２２、複数の檻平板体２２３，２２４，２２５、複数の鎖線材２２６，２２６，…、及び複数の支持シャフト２２７，２２７，…を含んで構成される。
【００９８】
左右側・胴体側パネル本体２２１，２２２は、図２９乃至図３３に示すように、パネル組立枠２３５及びパネル格子２３６で構成される。パネル組立枠２３５は、複数の枠材２３５Ａ，２３５Ａ，…（例えば、Ｌ字平鋼）を矩形に組立てて形成される。パネル格子２３６は、複数の線材（例えば、丸鋼線材）を格子配列（又は網目配列）して形成される。パネル格子２３６は、パネル組立枠２３５内に配置され、各線材を各枠材２３５Ａ，２３５Ａ，…に固定してなる。
左右側の胴体側パネル体２２１，２２２は、キャリ檻本体２０１の左右方向ＲＬに間隔γを隔てて対峙され、相互に並設される。各胴体側パネル体２２１，２２２は、相互間に胴体空間ＤＨを区画する。左右側・胴体側パネル体２２１，２２２は、相互のパネル格子２３６，２３６を対峙して、キャリ檻本体２０１の上下方向ＵＤに立設される。
【００９９】
複数の檻平板体２２３，２２４，２２５は、図２９乃至図３３に示すように、キャリ檻本体２０１の前後方向ＦＲにおいて、各胴体側パネル体２２１，２２２前端側に配置される。
各檻平板体２２３〜２２５は、キャリ檻本体２０１の左右方向ＲＬにおいて、各胴体側パネル体２２１，２２２間に配置される。各檻平板体２２３〜２３５は、キャリ檻本体２０１の上下方向ＵＤに延出される。
檻平板体２２３は、キャリ檻本体２０１の左右方向ＲＬにおいて、左側・胴体側パネル２２１に間隔を隔てて平行配置される。檻平板体２２４は、キャリ檻本体２０１の左右方向ＲＬにおいて、右側・胴体側パネル体２２２に間隔を隔てて平行配置される。
檻平板体２２５は、キャリ檻本体２０１の左右方向ＲＬにおいて、各檻平板体２２２，２２４間の中央（各胴体側パネル体２２１，２２２間の中央）に位置して、各胴体側パネル体２２１，２２２に平行配置される。
キャリ檻本体２０１の左右方向ＲＬにおいて、各檻平板体２２３〜２２５の間隔は、猪獣類Ｚが獣類収容空間ＳＨ（頭部空間ＴＨ）から抜出さない値に設定する。
【０１００】
複数の鎖線材２２６，２２６，…は、図２９乃至図３３に示すように、キャリ檻本体２０１の前後方向ＦＲにおいて、各胴体側パネル体２２１，２２２前端、及び各檻平板体２２３〜２２３前端に配置される。各鎖線材２２６，２２６，…は、キャリ檻本体２０１の左右方向ＲＬに延出され、各胴体側パネル体２２１，２２２の前側・枠材２３５ＡＦ、及び各檻平板体２２３〜２２５に支持される。各鎖線材２２６，２２６，…は、図２９に示すように、弛みを持って、各胴体側パネル体２２１，２２２及び各檻平板体２２３〜２２５に支持される。
各鎖線材２２６，２２６，…は、キャリ檻本体２０１の上下方向ＵＤに間隔を隔てて配置され、各檻平板体２２３〜２２５とで頭部空間ＴＨを区画する。キャリ檻本体２０１の上下方向ＵＤにおいて、各鎖線材２２６，２２６，…の間隔は、猪獣類Ｚが獣類収容空間ＳＨ（頭部空間ＴＨ）から抜出さない値に設定する。
【０１０１】
複数の支持シャフト２２７，２２７，…は、図２９乃至図３３に示すように、左側・胴体側パネル体２２１及び檻平板体２２３間、各檻平板体２２３，２２５間、各檻平板体２２５，２２４間、檻平板体２２４及び右側・胴体側パネル体２２２間に夫々配置される。
各支持シャフト２２７，２２７，…は、キャリ檻本体２０１の上下方向ＵＤにおいて、各鎖線材２２６，２２６，…を挿通して延出される。
【０１０２】
獣類搬入口２０２は、図２９乃至図３３に示すように、キャリ檻本体２０１の前後方向ＦＲにおいて、各胴体側パネル体２２１，２２２後端に形成され、胴体空間ＤＨに開口する。獣類搬入口２０２は、獣類捕獲罠Ｙの獣類搬出口１０５に連絡され、獣類捕獲罠Ｙに捕獲した猪獣類Ｚをキャリ檻本体２０１（獣類収納空間ＳＨ）内に搬入（移送）する。獣類搬入口２０２は、胴体空間ＤＨ（獣類収容空間ＳＨ）をキャリ檻本体２０１外側に連通する。
【０１０３】
キャリ開閉扉２０３は、図２９乃至図３３に示すように、各胴体側パネル体２２１，２２２後端に配置され、獣類搬入口２０２を開閉する。
キャリ開閉扉２０３は、獣類搬入口２０２を開く搬入開位置ＩＳ（図４０参照）、又は獣類搬入口２０２を閉じる搬入閉位置ＩＴ（図２９乃至図３３、図４２参照）にされる。
キャリ開閉扉２０３は、落下式扉を採用し、搬入開位置ＩＳから搬入閉位置ＩＴに落下される。
【０１０４】
キャリ開閉扉２０３は、図３４に示すように、線材（例えば、丸鋼線材）を矩形状に形成したキャリ扉枠材２３７、及びキャリ扉格子２３８で構成される。キャリ扉格子２３８は、複数の線材（例えば、丸鋼線材）を格子配列（又は網目配列）して形成される。キャリ扉格子２３８は、キャリ扉枠材２３７内に配置され、各線材をキャリ扉枠材２３７に固定してなる。
【０１０５】
キャリ扉用ガイド装置２０４は、キャリ檻本体２０１の前後方向ＦＲにおいて、各胴体側パネル体２２１，２２２に配置される。
キャリ扉用ガイド装置２０４は、一対（左右側）のガイド線材２３９，２４０で構成される。ガイド線材２３９，２４０は、例えば丸鋼線材で形成される。
【０１０６】
左側・ガイド線材２３９上端は、図３４に示すように、左側・胴体側パネル体２２１の上側・枠材２３５ＡＵに固定され、ガイド線材２３９下端は胴体側パネル体２２１の下側・枠材２３５ＡＤに固定される。ガイド線材２３９は、キャリ檻本体２０１の前後方向ＦＲにおいて、左側・胴体側パネル体２２１後端に間隔を隔てて位置される。ガイド線材２３９は、キャリ檻本体２０１の前後方向ＵＤにおいて、左側・胴体側パネル体２２１に沿って平行配置される。
ガイド線材２３９上端側は、扉出入口２３９Ａを形成し、扉出入口２３９Ａは左側・胴体側パネル体２２１上端側に向けて開口する。ガイド線材２３９下端側は、止めシャフト部２３９Ｂを形成する。止めシャフト部２３９Ｂは、キャリ檻本体２０１の前後方向ＦＲに延出され、左側・胴体側パネル２２１後端に固定される。
【０１０７】
右側・ガイド線材２４０上端は、図３４に示すように、右側・胴体側パネル体２２２の上側・枠材２３５ＡＵに固定され、ガイド線材２４０下端は胴体側パネル体２２２の下側・枠材２３５ＡＤに固定される。ガイド線材２４０は、キャリ檻本体２０１の前後方向ＦＲにおいて、右側・胴体側パネル体２２２後端に間隔を隔てて位置される。ガイド線材２４０は、キャリ檻本体２０１の前後方向ＵＤにおいて、右側・胴体側パネル体２２２に沿って平行配置される。
ガイド線材２４０上端側は、扉出入口２４０Ａを形成し、扉出入口２４０Ａは右側・胴体側パネル体２２２上端側に向けて開口する。ガイド線材２４０下端側は、止めシャフト部２４０Ｂを形成する。止めシャフト部２４０Ｂは、キャリ檻本体２０１の前後方向ＦＲに延出され、左側・胴体側パネル２２１後端に固定される。
【０１０８】
キャリ用ガイド装置２０４において、ガイド開閉扉２０３の左右端は、図３１及び図３４に示すように、各扉出入口２３９Ａ，２４０Ａから各胴体側パネル体２２１，２２２及び各ガイド線材２３９，２４０間に摺動自在に挿入され、各胴体側パネル体２２１，２２２後端に配置する。
これにより、キャリ開閉扉２０３は、キャリ檻本体２０１の上下方向ＵＤにおいて、各ガイド線材２３９，２４０で案内され、搬入開位置ＩＳ又は搬入閉位置ＩＴにされる。キャリ開閉扉２０３は、搬入閉位置ＩＴで各止めシャフト部２３９Ｂ，２４０Ｂに当接し、搬入閉位置ＩＴに保持される。
【０１０９】
間隔調整手段２０５は、キャリ檻本体２０１の左右方向ＦＲに各胴体側パネル体２２１，２２２を移動して、各胴体側パネル体２２１，２２２間の間隔γを調整（縮小／拡大）する（図２９乃至図３３、図４３及び図４４参照）。
間隔調整手段２０５は、各胴体側パネル体２２１，２２２に連結される。
間隔調整手段２０５は、図２９乃至図３３に示すように、一対（天井側／底側）のリンク装置２４１，２４２を含んで構成される。
【０１１０】
天井側・リンク装置２４１は、キャリ檻本体２０１の上下方向ＵＤにおいて、各胴体側パネル体２２１，２２２上端、及び各檻平板体２２３〜２２５上端に配置され、キャリ檻本体２０１の天井面を構成する。
天井側・リンク装置２４１は、図３２に示すように、天井側・直線中央リンク材２４５、天井側・直線左リンク材２４６、天井側・直線右リンク材２４７、複数の右側・リンク材２４８，２４８，…、及び複数の左側・リンク材２４９，２４９，…を有している。
【０１１１】
天井側・直線中央リンク材２４５は、図３２に示すように、キャリ檻本体２０１の左右方向ＲＬにおいて、各胴体側パネル体２２１，２２２間の中央に配置される。天井側・直線中央リンク材２４５は、各胴体側パネル２２１，２２２の上側・枠材２３５ＡＵに並設される。
天井側・直線中央リンク材２４５は、キャリ檻本体２０１の前後方向ＦＲに延出され、
キャリ開閉扉２０３後方側に配置される。
天井側・直線中央リンク材２４５は、胴体側パネル体２２１，２２２前端側で檻平板材２２５上端に連結固定される。
【０１１２】
天井側・直線左リンク材２４６は、キャリ檻本体２０１の左右方向ＲＬにおいて、左側・胴体側パネル体２２１及び天井側・直線中央リンク材２４５間に配置される。天井側・直線左リンク材２４６は、天井側・直線中央リンク材２４５に並設される。
天井側・直線左リンク材２４６は、キャリ檻本体２０１の前後方向ＦＲに延出され、キャリ開閉扉２０３前方側に配置される。天井側・直線左リンク材２４６は、胴体側パネル体２２１，２２２前端側で檻平板体２２３に連結固定される。
【０１１３】
天井側・直線右リンク材２４７は、キャリ檻本体２０３の左右方向ＲＬにおいて、右側・胴体側パネル体２２２及び天井側・直線中央リンク材２４５間に配置される。天井側・直線右リンク材２４７は、天井側・直線中央リンク材２４５に並設される。
天井側・直線右リンク材２４７は、キャリ檻本体２０１の前後方向ＦＲに延出され、キャリ開閉扉２０３前方側に配置される。天井側・直線右リンク材２４７は、胴体側パネル体２２１，２２前端側で檻平板体２２４に連結固定される。
【０１１４】
天井側・直線中央リンク材２４５、及び天井側・直線左右リンク材２４６，２４７の相互間において、キャリ檻本体２０１の左右方向ＲＬの間隔は、猪獣類Ｚが獣類収容空間ＳＨ（胴体空間ＤＨ）から抜出さない値に設定される。
【０１１５】
複数の左側・リンク材２４８，２４８，…は、キャリ檻本体２０１の前後方向ＦＲにおいて、間隔を隔てて配置される。各リンク材２４８，２４８，…の間隔は、猪獣類Ｚが獣類収容空間ＳＨ（胴体空間ＤＨ）から抜出ない値に設定する。
各リンク材２４８，２４８，…は、図３２に示すように、キャリ檻本体２０１の左右方向ＲＬに延出され、左側・胴体側パネル体２２１及び天井側・直線中央リンク材２４５間に配置される。
各リンク材２４８，２４８，…は、図３２、図３５乃至図３７に示すように、上側・枠体２３５ＡＵ上端、天井側・直線左リンク材２４６上端、及び天井側・直線中央リンク材２４５下端に配置される。各リンク材２４８，２４８，…は、複数の回転支持ピン２５０，２５０，…で左側・胴体側パネル体２２１、天井側・直線左リンク材２４６及び天井側・直線中央リンク材２４５に回転自在に連結される。
各回転支持ピン２５０，２５０，…は、図３５（ａ）及び図３６に示すように、キャリ檻本体２０１の上下方向ＵＤにおいて、左側・胴体側パネル体２２１（上側・枠材２３５ＡＵ）及び各リンク材２４８，２４８，…を挿通し、又は天井側・直線左リンク材２４６及び各リンク材２４８，２４８，…を挿通する。また、各回転支持ピン２５０，２５０，…は、図３７に示すように、キャリ檻本体２０１の上下方向ＵＤにおいて、天井側・直線中央リンク材２４５及び各リンク材２４８，２４８，…を挿通する。
【０１１６】
複数の右側・リンク材２４９，２４９，…は、キャリ檻本体２０１の前後方向ＦＲにおいて、間隔を隔てて配置される。各リンク材２４９，２４９，…の間隔は、猪獣類が獣類収容空間ＳＨ（胴体空間ＤＨ）から抜出さない値に設定する。
各リンク材２４９，２４９，…は、図３２に示すように、キャリ檻本体２０１の左右方向ＲＬに延出され、右側・胴体側パネル体２２２及び天井側・直線中央リンク材２４５間に配置される。
各リンク材２４９，２４９，…は、図３２、図３５乃至図３７に示すように、上側・枠材２３５ＡＵ上端、天井側・直線右リンク材２４７上端及び天井側・直線中央リンク材２４５下端に配置される。各リンク材２４９，２４９，…は、複数の回転支持ピン２５１，２５１，…で右側・胴体側パネル体２２２、天井側・直線右リンク材２４９及び天井側・直線中央リンク材２４５に回転自在に連結される。
各回転支持ピン２５１，２５１，…は、図３５（ｂ）に示すように、キャリ檻本体２０１の上下方向ＵＤにおいて、右側・胴体側パネル体２２２（上側・枠材２３５ＡＵ）及び各リンク材２４９，２４９，…を挿通し、又は天井側・直線右リンク材２４７及び各リンク材２４９，２４９，…を挿通する。また、各回転支持ピン２５１，２５１，…は、図３７に示すように、キャリ檻本体２０１の上下方向ＵＤにおいて、天井側・直線中央リンク材２４５及び各リンク材２４９，２４９，…を挿通する。
これにより、天井側・リンク装置２４１は、天井側・直線中央リンク材２４５、天井側・直線左リンク材２４６、天井側・直線右リンク材２４７、及び各リンク材２４８，２４８，…、２４９，２４９，…によって、キャリ檻本体２０１の左右方向ＲＬにおいて、各胴体側パネル体２２１，２２２に直交するキャリ檻本体２０１の天井側・パネル体（天井面）を兼用している。
各リンク材２４８，２４９は、各回転支持ピン２５０，２５１を支点（回転中心）として、キャリ檻本体２０１の天井面上で回転／移動する。また、天井側・直線左右リンク材２４６，２４７も、キャリ檻本体２０１の天井面上でキャリ檻本体２０１の前後方向ＦＲに移動する。
【０１１７】
底側・リンク装置２４２は、キャリ檻本体２０１の上下方向ＵＤにおいて、各胴体側パネル体２２１，２２２下端、及び各檻平板体２２３〜２２５下端に配置され、キャリ檻本体２０１の底面を構成する。
底側・リンク装置２４２は、図３３に示すように、天井側・リンク装置２４１と同様、底側・直線中央リンク材２５５、底側・直線左リンク材２５６、底側・直線右リンク材２４７、複数の左側・リンク材２５８，２５８，…、及び複数の右側・リンク材２５９，２５９，…を有している。
【０１１８】
底側・直線中央リンク材２５５は、図３３に示すように、キャリ檻本体２０１の左右方向ＲＬにおいて、各胴体側パネル体２２１，２２２間の中央に配置される。底側・直線中央リンク材２５５は、各胴体側パネル体２２１，２２２の下側・枠材２３５ＡＤに並設される。
底側・直線中央リンク材２５５は、キャリ檻本体２０１の前後方向ＦＲに延出され、キャリ開閉扉２０３後方側に配置される。
底側・直線中央リンク材２５５は、胴体側パネル体２２１，２２２前端側で檻平板体２２５下端に連結固定される。
【０１１９】
底側・直線左リンク材２５６は、キャリ檻本体２０１の左右方向ＲＬにおいて、左側・胴体側パネル体２２１及び底側・直線中央リンク材２５５間に配置される。底側・直線左リンク材２５６は、底側・直線中央リンク材２５５に並設される。
底側・直線左リンク材２５６は、キャリ檻本体２０１の前後方向ＦＲに延出され、キャリ開閉扉２０３前方側に配置される。底側・直線左リンク材２５６は、胴体側パネル体２２１，２２２前端側で檻平板体２２３下端に連結固定される。
【０１２０】
底側・直線右リンク材２５７は、キャリ檻本体２０１の左右方向ＲＬにおいて、右側・胴体側パネル体２２２及び底側・直線中央リンク材２５５間に配置される。底側・直線右リンク材２５７は、底側・直線中央リンク材２５５に並設される。
底側・直線右リンク材２５７は、キャリ檻本体２０１の前後方向ＦＲに延出され、キャリ開閉扉２０３前方側に配置される。底側・直線右リンク材２５７は、胴体側パネル体２２１，２２２前端側で檻平板体２２４下端に連結固定される。
【０１２１】
底側・直線中央リンク材２５５、及び底側・直線左右リンク材２５６，２５７の相互間において、キャリ檻本体２０１の左右方向ＲＬの間隔は、猪獣類Ｚが獣類収納ＳＨ（胴体空間ＤＨ）から抜出さない値に設定する。
【０１２２】
複数の左側・リンク材２５８，２５８，…は、キャリ檻本体２０１の前後方向ＦＲにおいて、間隔を隔てて配置される。各リンク材２５８，２５８，…の間隔は、猪獣類が獣類収容空間ＳＨ（胴体空間ＤＨ）から抜出さない値に設定する。
各リンク材２５８，２５８，…は、図３３に示すように、キャリ檻本体２０１の左右方向ＲＬに延出され、左側・胴体側パネル体２２１及び底側・直線中央リンク材２５５間に配置される。
各リンク材２５８，２５８，…は、図３３、図３５乃至図３７に示すように、下側・枠材２３５ＡＤ下端、底側・直線左リンク材２５６下端、及び底側・直線中央リンク材２５５下端に配置される。各リンク材２５８，２５８，…は、複数の回転支持ピン２６０，２６０，…で左側・胴体側パネル体２２１、底側・直線左リンク材２５６及び底側・直線中央リンク材２５５に回転自在に連結される。
各回転支持ピン２６０，２６０，…は、図３５（ａ）及び図３６に示すように、キャリ檻本体２０１の上下方向ＵＤにおいて、左側・胴体側パネル体２２１（下側・枠材２３５ＡＤ）及び各リンク材２５８，２５８，…を挿通し、又は底側・直線左リンク材２５６及び各リンク材２５８，２５８，…を挿通する。また、各回転支持ピン２６０，２６０，…は、図３７に示すように、キャリ檻本体２０１の上下方向ＵＤにおいて、底側・直線中央リンク材２５５及び各リンク材２５８，２５８，…を挿通する。
【０１２３】
複数の右側・リンク材２５９，２５９，…は、キャリ檻本体２０１の前後方向ＦＲにおいて、間隔を隔てて配置される。各リンク材２５９，２５９，…の間隔は、猪獣類が獣類収容空間ＳＨ（胴体空間ＤＨ）から抜出さない値に設定する。
各リンク材２５９，２５９，…は、図３３に示すように、キャリ檻本体２０１の左右方向ＲＬに延出され、右側・胴体側パネル体２２２及び底側・直線中央リンク材２５５間に配置される。
各リンク材２５９，２５９，…は、図３３、図３５乃至図３７に示すように、下側・枠材２３５ＡＤ下端、底側・直線右リンク材２５７下端、及び底側・直線中央リンク材２５５下端に配置される。各リンク材２５９，２５９，…は、複数の回転支持ピン２６１，２６１，…で右側・胴体側パネル体２２２、底側・直線右リンク材２５７及び底側・直線中央リンク材２５５に回転自在に連結される。
各回転支持ピン２６１，２６１，…は、図３５（ｂ）に示すように、キャリ檻本体２０１の上下方向ＵＤにおいて、右側・胴体側パネル体２２２（下側・枠材２３５ＡＵ）及び各リンク材２５９，２５９，…を挿通し、又は底側・直線右リンク材２５７及び各リンク材２５９，２５９，…を挿通する。また、各回転支持ピン２６１，２６１，…は、図３７に示すように、キャリ檻本体２０１の上下方向ＵＤにおいて、底側・直線中央リンク材２５５及び各リンク材２５９，２５９，…を挿通する。
これにより、底側・リンク装置２４２は、底側・直線中央リンク材２５５、底側・直線左リンク材２５６、底側・直線右リンク材２５７、及び各リンク材２５８，２５８，…、２５９，２５９，…によって、キャリ檻本体２０１の左右方向ＲＬにおいて、各胴体側パネル体２２１，２２２に直交するキャリ檻本体２０１の底側・パネル体（底面）を兼用している。
各リンク材２５８，２５９は、各回転支持ピン２６０，２６１を支点（回転中心）として、キャリ檻本体２０１の底面上で回転／移動する。また、底側・直線左右リンク材２５６，２５７も、キャリ檻本体２０１の底面上でキャリ檻本体２０１の前後方向ＦＲに移動する。
【０１２４】
キャリ組立枠体２０６は、図２９乃至図３３に示すように、キャリア檻本体２０１、キャリ開閉扉２０３、キャリ扉用ガイド装置２０４及び開閉調整手段２０５でなる組立体（以下、「キャリ檻組立体Ｂ」と称する）を支持する。キャリ檻組立体Ｂは、キャリ檻本体２０１、キャリ開閉扉２０３、キャリ扉用ガイド装置２０４及び間隔調整手段２０５で構成される。
【０１２５】
キャリ組立枠体２０６は、図２９乃至図３３に示すように、左右側・枠体２７１，２７２、及び複数の天井側・枠材２７３，２７４、及び複数の底側・枠材２７５，２７６，２７７で構成される。
【０１２６】
左右側・枠体２７１，２７２は、前後側・枠材２８１Ａ，２８１Ｂ、及び上下側・枠材２８１Ｃ，２８１Ｄを備え、各枠材２８１Ａ〜２８１Ｄで矩形（長方形）に形成する。
左右側・枠体２７１，２７２は、複数の縦補強枠材２８２Ａ，２８２Ｂ、及び複数の横補強枠材２８３Ａ〜２８３Ｄを有する。
各縦補強枠材２８２Ａ，２８２Ｂは、各枠材２８１Ａ〜２８１Ｄ内に配置される。各縦補強枠材２８２Ａ，２８２Ｂは、キャリ檻本体１の前後方向ＦＲに間隔を隔てて、前後側・枠材２８１Ａ，２８１Ｂに平行配置される。各縦補強枠材２８２Ａ，２８２Ｂは、キャリ檻本体１の上下方向ＵＤに延出され、上下側・枠材２８１Ｃ，２８１Ｄに固定される。
各横補強枠材２８３Ａ，２８３Ｂは、前側・枠材２８１Ａ及び縦補強枠材２８２Ａ間に配置される。各横補強枠材２８３Ａ，２８３Ｂは、キャリ檻本体１の上下方向ＵＤに間隔を隔てて、上下側・枠材２８１Ｃ，２８１Ｄに平行配置される。各横補強枠材２８３Ａ，２８３Ｂは、キャリ檻本体１の前後方向ＦＲに延出され、前側・枠材２８１Ａ及び縦補強枠材２８２Ａに固定される。
各横補強枠材２８３Ｃ，２８３Ｄは、縦補強枠材２８２Ｂ及び後側・枠材２８１Ｂ間に配置される。各横補強枠材２８３Ｃ，２８３Ｄは、キャリ檻本体１の上下方向ＵＤに間隔を隔てて、上下側・枠材２８１Ｃ，２８１Ｄに平行配置される。各横補強枠材２８３Ｃ，２８３Ｄは、キャリ檻本体１の前後方向ＦＲに延出され、縦補強枠材２８２Ｂ及び後側・枠材２８１Ｂに固定される。
左右側・枠体２７１は、各線材を例えば、丸鋼管で形成する。
【０１２７】
左右側・枠体２７１，２７２は、図２９乃至図３３に示すように、各胴体側パネル体２２１，２２２外側に配置される。
左右側・枠体２７１，２７２は、前後側・枠材２８１Ａ，２８１Ｂを各直線中央リンク材２４５，２５５両端から突出させて、上下側・枠材２８１Ｃ，２８１Ｄを各胴体側パネル体２２１，２２２に平行配置する。
左右側・枠体２７１，２７２は、キャリ檻本体２０１の上下方向ＵＤにおいて、下側・枠材２８１Ｄを底側・リンク装置２４２に間隔を隔てて配置する。
【０１２８】
各天井側・枠材２７３，２７４は、図３２に示すように、左右側・枠体２７１，２７２の上側・枠材２８１Ｃ間に配置される。各天井側・枠材２７３，２７４は、例えば丸鋼管で形成される。
各天井側・枠材２７３，２７４は、キャリ檻本体１の前後方向ＦＲに間隔を隔てて配置される。
各天井側・枠材２７３，２７４は、キャリ檻本体２０１の左右方向ＲＬに延出され、左右側・枠体２７１，２７２の上側・枠材２８１Ｃに固定される。
各天井側・枠材２７３，２７４は、天井側・直線中央リンク材２４５上端に当接され、天井側・直線中央リンク材２４５は、溶接等で各天井側・枠材２７３，２７４に固定される。
【０１２９】
各底側・枠材２７５〜２７７は、図３３に示すように、左右側・枠体２７１，２７２において、各縦補強枠材２８２Ａ，２８２Ａ間、各縦補強枠材２８２Ｂ，２８２Ｂ間、及び各後側・枠材２８１Ｂ，２８１Ｂ間に夫々配置される。各底側・枠材２７５〜２７７は、例えば丸鋼管で形成される。
【０１３０】
底側・枠材２７５は、キャリ檻本体２０１の左右方向ＲＬに延出され、左右側・枠体２７１，２７２の縦補強枠材２８２Ａに固定される。
底側・枠材２７５は、キャリ檻本体２０１の上下方向ＵＤにおいて、各胴体側パネル体２２１，２２２の下側・枠材２３５ＡＤ下端、及び底側・直線左右リンク材２５６，２５７下端に当接される。各底側・枠材２７５は、底側・直線中央リンク材２５５下端に当接され、底側・直線中央リンク材２７５は溶接等で底側・枠材２７５に固定される。
【０１３１】
底側・枠材２７６は、キャリ檻本体２０１の左右方向ＲＬに延出され、左右側・枠体２７１，２７２の縦補強枠材２８２Ｂに固定される。
底側・枠材２７６は、キャリ檻本体２０１の上下方向ＵＤにおいて、各胴体側パネル体２２１，２２２の下側・枠材２３５ＡＤ下端、底側・直線左右リンク材２５６，２５７下端、及び底側・直線中央リンク材２５５下端に当接される。
【０１３２】
底側・枠材２７７は、キャリ檻本体２０１の左右方向ＲＬに延出され、左右側・枠体２７１，２７２の後側・枠材２８１Ｂに固定される。
底側・枠材２７５は、キャリ開閉扉２０３後方側において、底側・直線中央リンク材２５５下端に当接され、底側・直線中央リンク材２７５は溶接等で底側・枠材２７５に固定される。
【０１３３】
キャリ組立枠体２０６は、各直線中央リンク材２４５，２５５を固定し、各底側・線材２７５〜２７７で底側・リンク装置２４２を支持して、キャリ檻構成体Ｂを内部に保持する。
これにより、間隔調整手段５において、各リンク装置２４１，２４２は、各直線中央リンク材２４５，２５５をキャリ組立枠体２０６に固定して、キャリ檻本体２０１の前後方向ＦＲに、各胴体側パネル体２２１，２２２及び各直線左右リンク材２４６，２４７，２５６，２５７を移動することで、各胴体側パネル体２２１，２２２の間隔γを調整（縮小／拡大）する。
各胴体側パネル体２２１，２２２は、各リンク装置２４１，２４２によって、猪獣類Ｚをキャリ檻本体２０１に搬入する初期位置ＰＳ（図２９乃至図３３参照）、又はキャリ檻本体２０１に搬入した猪獣類Ｚを挟持する挟持位置ＰＫ（図４３及び図４４参照）に配置される。
初期位置ＰＳにおいて、各胴体側パネル体２２１，２２２は、図２９乃至図３３に示すように、キャリ組立枠体２０６の左右側・枠体２７１，２７２（各縦補強枠材２８２Ａ，２８２Ｂ、各横補強枠材２８３Ａ〜２８３Ｄ）に当接して、相互間の間隔γの拡大が規制される。
また、各リンク装置２４１，２４２において、各直線中央リンク材２４５，２５５、各直線左リンク材２４６，２５６、各直線右リンク材２４７，２５７、各左側・リンク材２４８，２５８、各右側・リンク材２４９，２５９は、キャリ檻本体２０１の上下方向ＵＤに対称（上下対称）に配置できる。
【０１３４】
キャリ組立枠体２０６は、車軸２９０、左右側・車輪２９１，２９２、及び左右側・キャリ枠扉２９３，２９４を有する。
【０１３５】
キャリ組立枠体２０６において、車軸２９０は、図２９乃至図３３に示すように、キャリ檻本体２０１の前後方向ＦＲにおいて、縦補強枠材２８２Ａ側に配置される。
車軸２９０は、キャリ檻本体２０１の左右方向ＲＬに延出され、各底側・枠材２７５〜２７７に平行配置される。車軸２９０は、左右側・枠体２７１，２７２の下側・枠材２８１Ｃ下端に固定される。車軸２９０は、キャリ檻本体１の左右方向ＲＬにおいて、左右側・枠体２７１，２７２外側に突出する。
左右側・車輪２９１，２９２は、左右側・枠体２７１，２７２外側に配置され、車軸２９０に回転自在に軸支される。
【０１３６】
左右側・キャリ枠扉２９３，２９４は、図２９乃至図３３に示すように、線材（例えば、丸鋼線材）を矩形状に形成したキャリ枠扉枠材２９５、及びキャリ枠扉格子２９６で構成される。キャリ枠扉格子２９６は、複数の線材（例えば、丸鋼線材）を格子配列（又は網目配列）して形成される。キャリ枠扉格子２９６は、キャリ枠扉枠材２９５内に配置され、各線材をキャリ枠扉枠材２９５に固定してなる。
左右側・キャリ枠扉２９３，２９４は、左右側・枠体２７１，２７２の後側・枠材２８１Ｂに夫々配置される。各キャリ枠扉２９３，２９４は、後側・枠材２８１Ｂを旋回中心に旋回され、キャリ組立枠体２０６の獣類搬入口２９７を開閉する。
【０１３７】
＜猪獣類の捕獲、捕殺及び運搬＞
次に、獣類捕獲罠Ｙによる猪獣類Ｚの捕獲、キャリ檻Ｘ２による捕殺、及び運搬について、図３８乃至図４５を参照して説明する。
なお、キャリ檻Ｘ２において、各胴体側パネル体２２１，２２２は、図２９乃至図３３に示すように、初期位置ＰＳに配置される。また、キャリ檻Ｘ２では、獣類収容空間ＳＨ内において、底側・リンク装置２４２上に柔軟性シート材（図示しない）を敷詰める。
【０１３８】
獣類捕獲罠Ｙによる猪獣類Ｚの捕獲は、キャリ檻Ｘ１で説明したと同様である（図１１乃至図１４、図１８参照）。
【０１３９】
猪獣類Ｚを獣類捕獲罠Ｙに捕獲すると、作業者は、図３８に示すように、キャリ檻Ｘ２を獣類捕獲罠Ｙに並設する。キャリ檻Ｘ２は、天井側・リンク装置２４１を上方に向けて、左右側・車輪２９１，２９２を地面に設置する。
キャリ檻Ｘ２は、図３８に示すように、左右側・キャリ枠扉２９３，２９４を開いて、キャリ組立枠体２０６の獣類搬入口２９７を開放する。
キャリ檻Ｘ２は、キャリ開閉扉２０３（獣類搬入口２０２）、及びキャリ組立枠体２０６の獣類搬入口２９７を獣類捕獲罠Ｙの搬出開閉扉１０６に対峙して、キャリ組立枠体２０６を搬出開閉扉１０６に当接する。
また、キャリ檻Ｘ２は、車軸２９０を回転中心に傾斜され、左右側・枠体２７１，２７２の後側・枠材２８１Ｂを地面に設置する。
【０１４０】
続いて、作業者は、左右側・キャリ枠扉２９３，２９４を旋回して、獣類捕獲罠Ｙに当接する。
作業者は、図３９に示すように、獣類捕獲罠Ｙの搬出開閉扉１０６を搬出閉位置ＨＴ（図１１参照）から搬出開位置ＨＳにして、獣類搬出口１０５を開く。
また、作業者は、図４０に示すように、キャリ檻本体２０１のキャリ開閉扉２０３を搬入閉位置ＩＴ（図２９参照）から搬入開位置ＩＳにして、キャリ檻本体２０１の獣類搬入口２０２を開く。
これにより、獣類捕獲罠Ｙの捕獲空間Ｈ、及びキャリ檻本体２０１の獣類収容空間ＳＨ（胴体空間ＤＨ、頭部空間ＴＨ）は、獣類搬出口１０５、及び各獣類搬入口２９７，２０２を通して連通される。
【０１４１】
作業者は、図４１に示すように、獣類捕獲罠Ｙに捕獲した猪獣類Ｚをキャリ檻本体２０１（キャリ檻構成体Ｂ）側に追い遣り、獣類搬出口１０５及び各獣類搬入口２９７，２０２を通して、猪獣類Ｚをキャリ檻本体２０１（獣類収容空間ＳＨ）内に収容する。
猪獣類Ｚは、頭部側Ｚ２からキャリ檻本体２０１内に移送され、猪獣類Ｚを獣類収容空間ＳＨに収容する（図４１及び図４２参照）。
これにより、猪獣類Ｚは、獣類収容空間ＳＨ内において、各胴体側パネル２２１，２２２間に搬入される。
【０１４２】
作業者は、図４２に示すように、キャリ開閉扉２０３を各ガイド線材２３９，２４０及び各胴体側パネル体２２１，２２２間に挿入し、キャリ開閉扉２０３で獣類搬入口２０２を閉じる。キャリ開閉扉２０３は、各ガイド線材２３９，２４０の止めシャフト部２３９Ｂ，２４０Ｂに当接され、各胴体側パネル体２２１，２２２に保持される。
これにより、猪獣類Ｚは、獣類収納空間ＳＨ内に搬入、捕獲される。
【０１４３】
続いて、作業者は、キャリ檻Ｘ２を持上げ、押す（引く）ことで、キャリ檻Ｘ２を獣類捕獲罠Ｙにから離間する。キャリ檻Ｘ２において、作業者は、図４２に示すように、左右側・キャリ枠扉２９３，２９４を旋回して、獣類搬入口２９７を閉じる。各キャリ枠扉２９３，２９４は、獣類搬入口２９７を通して、キャリ組立枠体２０６内に収納される。
【０１４４】
続いて、作業者は、図４２乃至図４４に示すように、キャリ組立枠体２０６の各キャリ枠扉２９３，２９４（各枠体２７１，２７２の後側・枠材２８１Ｂ）側を上方側に持上げて、キャリ檻本体２０１及びキャリ組立枠体２０６を地面に立設する。
キャリ組立体２０６は、各枠体２７１，２７２の前側・枠材２８１Ａを地面に当接して立設され、キャリ檻本体２０１（キャリ檻構成体Ｂ）を支持する。
キャリ檻本体２０１（キャリ檻構成体Ｂ）は、各直線中央リンク材２４５，２５５を天井側・枠材２７３，２７４及び底側・枠材２７５，２７７に固定しているので、キャリ組立枠体２０６に吊下げ支持される。
キャリ檻本体２０１（キャリ檻構成体Ｂ）を吊下げ支持すると、猪獣類Ｚは、図４３及び図４４に示すように、キャリ檻本体２０１内において、自重（猪獣類Ｚの重量）で頭部空間ＴＨ側（地面側）に落下される。
【０１４５】
また、キャリ檻Ｘ２において、各胴体側パネル体２２１，２２２、天井側・直線左右リンク材２４６，２４７、及び底側・直線左右リンク材２５６，２５７は、図４３及び図４４に示すように、自重、及び猪獣類Ｚの落下によって、キャリ檻本体２０１の前後方向ＦＲにおいて、地面側に向けて移動する。
また、各リンク装置２４１，２４２において、各リンク材２４８，２４９，２５８，２５９は、図４４に示すように、各回転支持ピン２５０，２５１，２６０，２６１を支点として、回転／移動される。
各胴体側パネル体２２１，２２２、天井側・直線左右リンク材２４６，２４７、及び底側・直線左右リンク材２５６，２５７は、各リンク材２４８，２４９，２５８，２５９の回転／移動によって、地面側に向けて移動すると同時に、キャリ檻本体２０１の左右方向ＲＬにおいて、各胴体パネル本体２２１，２２２の間隔γを縮小しつつ（狭めつつ）相互に接近される。
各胴体パネル体２２１，２２２は、図４４に示すように、キャリ檻本体２０１の左右方向ＲＬから猪獣類Ｚの胴体側Ｚ１を挟持する（挟込む）。各胴体パネル体２２１，２２２の間隔γは、猪獣類Ｚの胴体側Ｚ１の幅寸法γ１となる。
これにより、キャリ檻Ｘ２において、各胴体側パネル体２２１，２２２は、初期位置ＰＳ（図２９乃至図３３参照）から挟持位置ＰＫ（図４４参照）に配置される。
挟持位置ＰＫにおいて、キャリ開閉扉２０３は、各胴体側パネル体２２１，２２２の移動に伴って、図４３及び図４４に示すように、天井側・直線中央リンク材２４５下端、及び天井側・直線左右リンク材２４６，２４７下端に配置され、各ガイド線材２３９，２４０からの抜出しが規制される。
挟持位置ＰＫにおいて、猪獣類Ｚは、胴体側Ｚ１を各胴体側パネル体２２１，２２２で挟持されるので、キャリ檻本体２０１内で身動きできなくなり、暴れない。また、猪獣類Ｚの頭部側Ｚ２は、図４３及び図４４に示すように、各檻平板体２２３〜２２５及び各鎖線材２２６に当接して、頭部空間ＴＨ側からの抜出しが規制される。
【０１４６】
続いて、作業者は、図４３及び図４４に示すように、猪獣類Ｚを捕殺（刺殺）し、猪獣類Ｚの血抜きをする。猪獣類Ｚは、キャリ檻本体２０１内（各胴体パネル体２２１，２２２）で身動きできないので、作業者は、安全に猪獣類Ｚを捕殺（刺殺）できる。
【０１４７】
作業者は、図４５に示すように、キャリ檻Ｘ２のキャリ開閉扉２０３側を地面に倒し、続いて、キャリ檻Ｘ２を押して（又は引いて）、捕殺した猪獣類Ｚを各車輪２９１，２９２で運搬する。
続いて、作業者は、各胴体側パネル体２２１，２２２及び各直線左右リンク材２４６，２４７，２５６，２５７を、キャリ檻本体２０１の前後方向ＦＲにおいて、キャリ枠扉２９３，２９４側に移動して、各リンク材２４８，２４９，２５８，２５９を回転する。
これにより、各胴体側パネル体２２１，２２２は、相互間の間隔γを拡大しつつ、キャリ檻本体２０１の左右方向ＲＬに移動される。
各胴体側パネル体２２１，２２２は、左右側・枠体２７１，２７２に当接し、相互間の間隔γに復元され、挟持位置ＰＫ（図４３及び図４４参照）から初期基地ＰＳ（図４２参照）に配置される。
【０１４８】
作業者は、各胴体側パネル体２２１，２２２を初期位置ＰＳに配置すると、捕殺した猪獣類Ｚをキャリ檻本体２０１外側に搬出する。このとき、作業者は、キャリ開閉扉２０３を搬入開位置ＩＳにし、各キャリ枠扉２９３，２９４を開いて、捕殺した猪獣類Ｚを各獣類搬入口２，２９７から搬出する。
【０１４９】
キャリ檻Ｘ２において、間隔調整手段５は、各胴体側パネル体２２１，２２２を移動して、各パネル体２２１，２２２間の間隔γを調整（縮小／拡大）する。各胴体側パネル体２２１，２２２は、間隔調整手段５による間隔γの調整に伴って、挟持位置ＰＫに配置される。これにより、各胴体側パネル体２２１，２２２は、挟持位置ＰＫにおいて、猪獣類Ｚの胴体側Ｚ１を挟持する。
このように、キャリ檻Ｘ２では、各胴体側パネル体２２１，２２２間の間隔γを調整することで、体挌（重量、大きさ等）の相違する猪獣類Ｚを、その体挌に応じて各胴体側パネル体２２１，２２２で挟持できる。
従って、キャリ檻Ｘ２は、猪獣類Ｚの体挌に応じて、各種のキャリ檻を用意する必要がなく、スムーズに猪獣類Ｚを捕殺、運搬できる。
【０１５０】
また、キャリ檻Ｘ２は、キャリ組立枠体２０６に左右側・キャリ枠扉２９３，２９４を配置しているので、獣類捕獲罠Ｙの獣類搬出口１０５の大小に応じて一部を閉鎖でき、猪獣類Ｚを確実に、キャリ檻本体２０１に搬入できる。
【０１５１】
キャリ檻Ｘ２は、左右側・車輪２９１，２９２を直接、キャリ組立枠体２０６に配置しているが、これに限定されず、左右側・車輪２９１，２９２をキャリ組立枠体２０６に配置しない構成も採用できる。
【０１５２】
キャリ檻Ｘ１，Ｘ２では、各胴体側パネル体１１，１２、及び各頭部側パネル体１３，１４を移動する間隔調整手段５は、各リンク装置３１，３２，２４１，２４２に限定されない。
【産業上の利用可能性】
【０１５３】
本発明のキャリ檻は、獣類捕獲罠に捕獲した猪獣類を危険なく、捕殺、運搬するのに好適である。
【符号の説明】
【０１５４】
Ｘ１  キャリ檻
Ｙ  獣類捕獲罠
１  キャリ檻本体
２  獣類搬入口
３  キャリ開閉扉
５  間隔調整手段（間隔調整装置）
１１  胴体側パネル体（左側）
１２  胴体側パネル体（右側）
１３  頭部側パネル体（左側）
１４  頭部側パネル体（右側）
１０５  獣類搬出口
Ｘ２  キャリ檻
２０１  キャリ檻本体
２０１  獣類搬入口
２０３  キャリ開閉扉
２０５  間隔調整手段（間隔調整装置）
２２１  胴体側パネル体（左側）
２２２  胴体側パネル体（右側）
【図１】
2014161250.tif 000003
【図２】
2014161250.tif 000004
【図３】
2014161250.tif 000005
【図４】
2014161250.tif 000006
【図５】
2014161250.tif 000007
【図６】
2014161250.tif 000008
【図７】
2014161250.tif 000009
【図８】
2014161250.tif 000010
【図９】
2014161250.tif 000011
【図１０】
2014161250.tif 000012
【図１１】
2014161250.tif 000013
【図１２】
2014161250.tif 000014
【図１３】
2014161250.tif 000015
【図１４】
2014161250.tif 000016
【図１５】
2014161250.tif 000017
【図１６】
2014161250.tif 000018
【図１７】
2014161250.tif 000019
【図１８】
2014161250.tif 000020
【図１９】
2014161250.tif 000021
【図２０】
2014161250.tif 000022
【図２１】
2014161250.tif 000023
【図２２】
2014161250.tif 000024
【図２３】
2014161250.tif 000025
【図２４】
2014161250.tif 000026
【図２５】
2014161250.tif 000027
【図２６】
2014161250.tif 000028
【図２７】
2014161250.tif 000029
【図２８】
2014161250.tif 000030
【図２９】
2014161250.tif 000031
【図３０】
2014161250.tif 000032
【図３１】
2014161250.tif 000033
【図３２】
2014161250.tif 000034
【図３３】
2014161250.tif 000035
【図３４】
2014161250.tif 000036
【図３５】
2014161250.tif 000037
【図３６】
2014161250.tif 000038
【図３７】
2014161250.tif 000039
【図３８】
2014161250.tif 000040
【図３９】
2014161250.tif 000041
【図４０】
2014161250.tif 000042
【図４１】
2014161250.tif 000043
【図４２】
2014161250.tif 000044
【図４３】
2014161250.tif 000045
【図４４】
2014161250.tif 000046
【図４５】
2014161250.tif 000047